(57)【要約】【課題】複数の紙幣収納領域に区分け可能な入金一時保留部に容易にアクセス可能となることにより当該入金一時保留部を様々な用途に使用することができるようになり、入金一時保留部を有効活用することができる紙幣処理装置を提供する。【解決手段】紙幣処理装置２において、筐体１２に設けられた前扉１２ａを開けることにより入金一時保留部３０にアクセス可能となっており、入金一時保留部３０には、当該入金一時保留部３０の内部を複数の紙幣収納領域に区分けることができるセパレータ９３（区分け部材）が設けられている。【選択図】図２
2019200808.tif 000002
【特許請求の範囲】
【請求項１】
紙幣を筐体の外部から内部に投入するための投入部と、
前記投入部により前記筐体の内部に投入された紙幣の識別を行う識別部と、
前記筐体の内部に設けられ、紙幣の収納を行う収納部と、
前記識別部により識別された紙幣を前記収納部に収納させる前に一時的に保留する入金一時保留部と、
を備え、
前記筐体に設けられた扉を開けることにより前記入金一時保留部にアクセス可能となっており、
前記入金一時保留部には、当該入金一時保留部の内部を複数の紙幣収納領域に区分けることができる区分け部材が設けられている、紙幣処理装置。
【請求項２】
前記区分け部材は、前記入金一時保留部の内部を複数の前記紙幣収納領域に区分ける区分け位置と、前記入金一時保留部の内部を１つの紙幣収納領域とする退避位置との間で移動自在となっている、請求項１記載の紙幣処理装置。
【請求項３】
前記筐体に設けられた前記扉は多重の扉部分から構成されており、
前記扉における全ての前記扉部分を開くと前記入金一時保留部における前記区分け部材により区分けされた全ての前記紙幣収納領域にアクセス可能となり、
前記扉における一部の前記扉部分のみを開いたときには前記入金一時保留部における前記区分け部材により区分けされた複数の前記紙幣収納領域のうち一部の前記紙幣収納領域のみにアクセス可能となる、請求項１または２記載の紙幣処理装置。
【請求項４】
前記扉における一の前記扉部分は他の前記扉部分にロック可能となっており、
一の前記扉部分が他の前記扉部分にロックされるとこれらの複数の前記扉部分は一体的に前記筐体から開閉されるようになっている、請求項３記載の紙幣処理装置。
【請求項５】
前記扉における一の前記扉部分は前記筐体にロック可能となっており、
一の前記扉部分が前記筐体にロックされると複数の前記紙幣収納領域のうち一部の前記紙幣収納領域のみにアクセス可能となる、請求項３または４記載の紙幣処理装置。
【請求項６】
前記扉が開けられて前記入金一時保留部に直接投入された紙幣を前記筐体の内部に繰り出して前記識別部により識別した後に前記収納部に収納させるような入金処理を行うことができるようになっている、請求項１乃至５のいずれか一項に記載の紙幣処理装置。
【請求項７】
前記扉が開けられて前記入金一時保留部に直接投入された紙幣を前記筐体の内部に繰り出して前記識別部により識別した後に前記収納部に収納させるような入金処理が行われる際に、前記区分け部材は、前記入金一時保留部の内部を１つの紙幣収納領域とする退避位置に位置するようになっている、請求項６記載の紙幣処理装置。
【請求項８】
前記扉が開けられて前記入金一時保留部に直接投入された紙幣を前記筐体の内部に繰り出して前記識別部により識別した後に前記収納部に収納させるような入金処理が行われる最中に、前記投入部により前記筐体の内部に投入された紙幣を前記識別部により識別した後に前記入金一時保留部に一時的に保留させるような割り込み入金処理が行われる場合には、続行していた入金処理を一時的に中断するとともに、前記区分け部材を、前記入金一時保留部の内部を複数の前記紙幣収納領域に区分ける区分け位置に移動させ、割り込み入金処理において前記入金一時保留部に送られた紙幣を前記区分け部材上に収納するようになっている、請求項７記載の紙幣処理装置。
【請求項９】
前記投入部により前記筐体の内部に投入された紙幣を前記識別部により識別した後に前記入金一時保留部に一時的に保留させるような入金処理が行われる最中に、前記扉が開けられて前記入金一時保留部に直接投入された紙幣を前記筐体の内部に繰り出して前記識別部により識別した後に前記収納部に収納させるような割り込み入金処理が行われる場合には、続行していた入金処理を一時的に中断するとともに、前記区分け部材を、前記入金一時保留部の内部を複数の前記紙幣収納領域に区分ける区分け位置に移動させ、割り込み入金処理において前記入金一時保留部の前記区分け部材上に紙幣を直接投入するようになっている、請求項６記載の紙幣処理装置。
【請求項１０】
前記収納部から繰り出された紙幣を前記入金一時保留部に収納させ、前記筐体に設けられた前記扉を開くことにより前記筐体の外部に取り出し可能とするような出金処理を行うことができるようになっている、請求項１乃至９のいずれか一項に記載の紙幣処理装置。
【請求項１１】
前記投入部により前記筐体の内部に投入された紙幣を前記識別部により識別した後に前記入金一時保留部に一時的に保留させるような入金処理が行われる最中に、前記収納部から繰り出された紙幣を前記入金一時保留部に収納させるような割り込み出金処理が行われる場合には、続行していた入金処理を一時的に中断するとともに、前記区分け部材を、前記入金一時保留部の内部を複数の前記紙幣収納領域に区分ける区分け位置に移動させ、割り込み出金処理において前記入金一時保留部に送られた紙幣を前記区分け部材上に収納するようになっている、請求項１０記載の紙幣処理装置。
【請求項１２】
前記収納部から繰り出された紙幣を前記入金一時保留部に収納させ、前記筐体に設けられた前記扉を開くことにより前記筐体の外部に取り出し可能とするような出金処理が行われる最中に、前記投入部により前記筐体の内部に投入された紙幣を前記識別部により識別した後に前記入金一時保留部に一時的に保留させるような割り込み入金処理が行われる場合には、続行していた出金処理を一時的に中断するとともに、前記区分け部材を、前記入金一時保留部の内部を複数の前記紙幣収納領域に区分ける区分け位置に移動させ、割り込み入金処理において前記入金一時保留部に送られた紙幣を前記区分け部材上に収納するようになっている、請求項１０記載の紙幣処理装置。
【請求項１３】
前記投入部により前記筐体の内部に投入された紙幣を前記識別部により識別した後に前記入金一時保留部に収納させ、前記筐体に設けられた前記扉を開くことにより前記筐体の外部に取り出し可能とするような計数処理を行うことができるようになっている、請求項１乃至１２のいずれか一項に記載の紙幣処理装置。
【請求項１４】
前記投入部により前記筐体の内部に投入された紙幣を前記識別部により識別した後に前記入金一時保留部に一時的に保留させるような入金処理が行われる最中に、前記投入部により前記筐体の内部に投入された紙幣を前記識別部により識別した後に前記入金一時保留部に収納させるような割り込み計数処理が行われる場合には、続行していた入金処理を一時的に中断するとともに、前記区分け部材を、前記入金一時保留部の内部を複数の前記紙幣収納領域に区分ける区分け位置に移動させ、割り込み計数処理において前記入金一時保留部に送られた紙幣を前記区分け部材上に収納するようになっている、請求項１３記載の紙幣処理装置。
【発明の詳細な説明】
【技術分野】
【０００１】
本発明は、少なくとも紙幣の入金処理を行うことができる紙幣処理装置に関する。
【背景技術】
【０００２】
紙幣の入金処理や出金処理を行う紙幣処理装置として従来から様々なタイプのものが知られている。一般的な紙幣処理装置では、投入部に投入された紙幣が当該投入部から筐体の内部に繰り出されると識別部により当該紙幣の識別が行われ、識別部により識別された紙幣のうち正常な紙幣であると判断された紙幣は入金一時保留部に一時的に保留されるようになる。そして、投入部に投入された紙幣が全て入金一時保留部等に送られた後、操作者が入金確定の指令を入力すると入金一時保留部に一時的に保留されている紙幣が収納部に送られ、当該収納部に収納されるようになる。一方、投入部に投入された紙幣が全て入金一時保留部等に送られた後、操作者が入金確定の指令を入力する代わりに返却の指令を入力すると入金一時保留部に一時的に保留されている紙幣が筐体の外部に返却されるようになる。
【０００３】
また、特許文献１には、紙幣処理装置において入金一時保留部の内部をセパレータにより２つの紙幣収納領域に区分けすることができるような技術が開示されている。このような紙幣処理装置では、第１処理としての入金処理を行っている最中にこの入金処理が中断されるとセパレータによって入金一時保留部の内部を２つの領域（具体的には、一時保留された紙幣が存在する第１領域および紙幣が存在しない第２領域）に区分けすることにより第２処理としての割り込み入金処理を行うことができるようになる。
【先行技術文献】
【特許文献】
【０００４】
【特許文献１】特許第５３８４１２６号
【発明の概要】
【発明が解決しようとする課題】
【０００５】
しかしながら、特許文献１等に開示されるような従来の紙幣処理装置では、セパレータにより２つの紙幣収納領域に区分けすることができるような入金一時保留部が筐体の奥行き方向における後方側に設けられており、操作者はこの入金一時保留部にアクセスする場合には当該入金一時保留部が設けられた引出ユニットを筐体の内部から引き出さなければならず、入金一時保留部に容易にアクセスすることができないため入金一時保留部を有効活用することができていないという問題があった。
【０００６】
本発明は、このような点を考慮してなされたものであり、複数の紙幣収納領域に区分け可能な入金一時保留部に容易にアクセス可能となることにより当該入金一時保留部を様々な用途に使用することができるようになり、入金一時保留部を有効活用することができる紙幣処理装置を提供することを目的とする。
【課題を解決するための手段】
【０００７】
本発明の紙幣処理装置は、紙幣を筐体の外部から内部に投入するための投入部と、前記投入部により前記筐体の内部に投入された紙幣の識別を行う識別部と、前記筐体の内部に設けられ、紙幣の収納を行う収納部と、前記識別部により識別された紙幣を前記収納部に収納させる前に一時的に保留する入金一時保留部と、を備え、前記筐体に設けられた扉を開けることにより前記入金一時保留部にアクセス可能となっており、前記入金一時保留部には、当該入金一時保留部の内部を複数の紙幣収納領域に区分けることができる区分け部材が設けられていることを特徴とする。
【０００８】
このような紙幣処理装置によれば、入金一時保留部には、当該入金一時保留部の内部を複数の紙幣収納領域に区分けることができる区分け部材が設けられているとともに、筐体に設けられた扉を開けることにより入金一時保留部にアクセス可能となっているため、複数の紙幣収納領域に区分け可能な入金一時保留部に容易にアクセス可能となることにより当該入金一時保留部を様々な用途に使用することができるようになり、入金一時保留部を有効活用することができる。
【０００９】
本発明の紙幣処理装置においては、前記区分け部材は、前記入金一時保留部の内部を複数の前記紙幣収納領域に区分ける区分け位置と、前記入金一時保留部の内部を１つの紙幣収納領域とする退避位置との間で移動自在となっていてもよい。
【００１０】
本発明の紙幣処理装置においては、前記筐体に設けられた前記扉は多重の扉部分から構成されており、前記扉における全ての前記扉部分を開くと前記入金一時保留部における前記区分け部材により区分けされた全ての前記紙幣収納領域にアクセス可能となり、前記扉における一部の前記扉部分のみを開いたときには前記入金一時保留部における前記区分け部材により区分けされた複数の前記紙幣収納領域のうち一部の前記紙幣収納領域のみにアクセス可能となっていてもよい。
【００１１】
この場合、前記扉における一の前記扉部分は他の前記扉部分にロック可能となっており、一の前記扉部分が他の前記扉部分にロックされるとこれらの複数の前記扉部分は一体的に前記筐体から開閉されるようになっていてもよい。
【００１２】
また、前記扉における一の前記扉部分は前記筐体にロック可能となっており、一の前記扉部分が前記筐体にロックされると複数の前記紙幣収納領域のうち一部の前記紙幣収納領域のみにアクセス可能となっていてもよい。
【００１３】
本発明の紙幣処理装置においては、前記扉が開けられて前記入金一時保留部に直接投入された紙幣を前記筐体の内部に繰り出して前記識別部により識別した後に前記収納部に収納させるような入金処理を行うことができるようになっていてもよい。
【００１４】
この場合、前記扉が開けられて前記入金一時保留部に直接投入された紙幣を前記筐体の内部に繰り出して前記識別部により識別した後に前記収納部に収納させるような入金処理が行われる際に、前記区分け部材は、前記入金一時保留部の内部を１つの紙幣収納領域とする退避位置に位置するようになっていてもよい。
【００１５】
また、前記扉が開けられて前記入金一時保留部に直接投入された紙幣を前記筐体の内部に繰り出して前記識別部により識別した後に前記収納部に収納させるような入金処理が行われる最中に、前記投入部により前記筐体の内部に投入された紙幣を前記識別部により識別した後に前記入金一時保留部に一時的に保留させるような割り込み入金処理が行われる場合には、続行していた入金処理を一時的に中断するとともに、前記区分け部材を、前記入金一時保留部の内部を複数の前記紙幣収納領域に区分ける区分け位置に移動させ、割り込み入金処理において前記入金一時保留部に送られた紙幣を前記区分け部材上に収納するようになっていてもよい。
【００１６】
また、前記投入部により前記筐体の内部に投入された紙幣を前記識別部により識別した後に前記入金一時保留部に一時的に保留させるような入金処理が行われる最中に、前記扉が開けられて前記入金一時保留部に直接投入された紙幣を前記筐体の内部に繰り出して前記識別部により識別した後に前記収納部に収納させるような割り込み入金処理が行われる場合には、続行していた入金処理を一時的に中断するとともに、前記区分け部材を、前記入金一時保留部の内部を複数の前記紙幣収納領域に区分ける区分け位置に移動させ、割り込み入金処理において前記入金一時保留部の前記区分け部材上に紙幣を直接投入するようになっていてもよい。
【００１７】
本発明の紙幣処理装置においては、前記収納部から繰り出された紙幣を前記入金一時保留部に収納させ、前記筐体に設けられた前記扉を開くことにより前記筐体の外部に取り出し可能とするような出金処理を行うことができるようになっていてもよい。
【００１８】
この場合、前記投入部により前記筐体の内部に投入された紙幣を前記識別部により識別した後に前記入金一時保留部に一時的に保留させるような入金処理が行われる最中に、前記収納部から繰り出された紙幣を前記入金一時保留部に収納させるような割り込み出金処理が行われる場合には、続行していた入金処理を一時的に中断するとともに、前記区分け部材を、前記入金一時保留部の内部を複数の前記紙幣収納領域に区分ける区分け位置に移動させ、割り込み出金処理において前記入金一時保留部に送られた紙幣を前記区分け部材上に収納するようになっていてもよい。
【００１９】
また、前記収納部から繰り出された紙幣を前記入金一時保留部に収納させ、前記筐体に設けられた前記扉を開くことにより前記筐体の外部に取り出し可能とするような出金処理が行われる最中に、前記投入部により前記筐体の内部に投入された紙幣を前記識別部により識別した後に前記入金一時保留部に一時的に保留させるような割り込み入金処理が行われる場合には、続行していた出金処理を一時的に中断するとともに、前記区分け部材を、前記入金一時保留部の内部を複数の前記紙幣収納領域に区分ける区分け位置に移動させ、割り込み入金処理において前記入金一時保留部に送られた紙幣を前記区分け部材上に収納するようになっていてもよい。
【００２０】
本発明の紙幣処理装置においては、前記投入部により前記筐体の内部に投入された紙幣を前記識別部により識別した後に前記入金一時保留部に収納させ、前記筐体に設けられた前記扉を開くことにより前記筐体の外部に取り出し可能とするような計数処理を行うことができるようになっていてもよい。
【００２１】
この場合、前記投入部により前記筐体の内部に投入された紙幣を前記識別部により識別した後に前記入金一時保留部に一時的に保留させるような入金処理が行われる最中に、前記投入部により前記筐体の内部に投入された紙幣を前記識別部により識別した後に前記入金一時保留部に収納させるような割り込み計数処理が行われる場合には、続行していた入金処理を一時的に中断するとともに、前記区分け部材を、前記入金一時保留部の内部を複数の前記紙幣収納領域に区分ける区分け位置に移動させ、割り込み計数処理において前記入金一時保留部に送られた紙幣を前記区分け部材上に収納するようになっていてもよい。
【発明の効果】
【００２２】
本発明の紙幣処理装置によれば、複数の紙幣収納領域に区分け可能な入金一時保留部に容易にアクセス可能となることにより当該入金一時保留部を様々な用途に使用することができるようになり、入金一時保留部を有効活用することができる。
【図面の簡単な説明】
【００２３】
【図１】本発明の実施の形態による貨幣処理機の外観を示す斜視図である。
【図２】図１に示す貨幣処理機における紙幣処理装置の内部構成を概略的に示す概略構成図である。
【図３】図１や図２に示す貨幣処理機における制御系の構成を示す機能ブロック図である。
【図４】図２に示す紙幣処理装置の筐体に設けられた前扉を背面側から見たときの構成を示す斜視図である。
【図５】図２に示す紙幣処理装置の前扉の後方に設けられた入金一時保留部の構成を示す斜視図である。
【図６】図５に示す入金一時保留部の構成を示す斜視図であって、（ａ）は、セパレータが退避位置にあるときの状態を示す図であり、（ｂ）は、セパレータが区分け位置にあるときの状態を示す図である。
【図７】図５等に示す入金一時保留部の側面図であって、セパレータが退避位置にあるとともにステージが上方位置にあるときの状態を示す図である。
【図８】図５等に示す入金一時保留部の側面図であって、セパレータが退避位置にあるとともにステージが下方位置に移動したときの状態を示す図である。
【図９】図５等に示す入金一時保留部の側面図であって、セパレータが自重により退避位置から下方向に移動してステージ上に載置されたときの状態を示す図である。
【図１０】図５等に示す入金一時保留部の側面図であって、図９に示す状態からステージおよびセパレータが更に下方向に移動して後退位置にある上側セパレータ部分が進出位置に移動可能となった状態を示す図である。
【図１１】図５等に示す入金一時保留部の側面図であって、図１０に示す状態から上側セパレータ部分が後退位置から進出位置に移動したときの状態を示す図である。
【図１２】図５等に示す入金一時保留部の側面図であって、図１１に示す状態からステージおよびセパレータが上方向に移動してセパレータ上の最後の紙幣を入金一時保留部から繰り出すときの状態を示す図である。
【図１３】図５等に示す入金一時保留部の側面図であって、図１２に示す状態からステージおよびセパレータが更に上方向に移動して進出位置にある上側セパレータ部分が後退位置に移動可能となった状態を示す図である。
【図１４】図５等に示す入金一時保留部の側面図であって、図１３に示す状態から上側セパレータ部分が進出位置から後退位置に移動したときの状態を示す図である。
【図１５】図５等に示す入金一時保留部に設けられたセパレータを上方から見たときの構成を示す上面図であって、上側セパレータ部分が後退位置に位置しているときの状態を示す図である。
【図１６】図５等に示す入金一時保留部に設けられたセパレータを上方から見たときの構成を示す上面図であって、上側セパレータ部分が進出位置に位置しているときの状態を示す図である。
【図１７】図１等に示す貨幣処理機の紙幣処理装置において前扉が開けられて入金一時保留部に直接投入された紙幣を筐体の内部に繰り出して識別部により識別した後に金種別バラ紙幣収納庫に収納させるような入金処理が行われる際のバラ紙幣の流れを示す図である。
【図１８】図１等に示す貨幣処理機の紙幣処理装置において金種別バラ紙幣収納庫から繰り出された紙幣を入金一時保留部に収納させ、筐体に設けられた前扉を開くことにより筐体の外部に取り出し可能とするような出金処理が行われる際のバラ紙幣の流れを示す図である。
【図１９】図１等に示す貨幣処理機の紙幣処理装置において投入部により筐体の内部に投入された紙幣を識別部により識別した後に入金一時保留部に収納させ、筐体に設けられた前扉を開くことにより筐体の外部に取り出し可能とするような計数処理が行われる際のバラ紙幣の流れを示す図である。
【発明を実施するための形態】
【００２４】
以下、図面を参照して本発明の実施の形態について説明する。図１乃至図１９は、本実施の形態に係る紙幣処理装置およびこのような紙幣処理装置を備えた貨幣処理機を示す図である。このうち、図１は、本実施の形態による貨幣処理機の外観を示す斜視図であり、図２は、図１に示す貨幣処理機における紙幣処理装置の内部構成を概略的に示す概略構成図であり、図３は、図１や図２に示す貨幣処理機における制御系の構成を示す機能ブロック図である。また、図４は、図２に示す紙幣処理装置の筐体に設けられた前扉を背面側から見たときの構成を示す斜視図であり、図５および図６は、それぞれ、図２に示す紙幣処理装置の前扉の後方に設けられた入金一時保留部の構成を示す斜視図である。また、図７乃至図１４は、それぞれ、図５等に示す入金一時保留部の側面図であり、図１５および図１６は、それぞれ、図５等に示す入金一時保留部に設けられたセパレータを上方から見たときの構成を示す上面図である。また、図１７乃至図１９は、それぞれ、図１等に示す貨幣処理機の紙幣処理装置においてバラ紙幣の入金処理、出金処理および計数処理が行われる際のバラ紙幣の流れを示す図である。
【００２５】
本実施の形態による貨幣処理機１は、バラ紙幣やバラ硬貨の入金処理や出金処理を行うことができるとともに、機体内で所定枚数（例えば、１００枚）のバラ紙幣から帯封紙幣を形成したり帯封紙幣の出金処理を行ったりすることができるようになっている。図１に示すように、本実施の形態による貨幣処理機１は、左右に並ぶよう配置された紙幣処理装置２および硬貨処理装置３から構成されている。なお、硬貨処理装置３については本発明と直接的な関係がないためその説明を省略する。
【００２６】
本実施の形態による貨幣処理機１における紙幣処理装置２の内部構成の詳細について図１および図２を用いて説明する。図１および図２に示すように、紙幣処理装置２は略直方体形状の筐体１２を有しており、この筐体１２の前面には、筐体１２の外部から内部にバラ紙幣を入金するための投入部（以下、入金部１４という）、筐体１２の内部から外部にバラ紙幣を出金するためのバラ紙幣出金部１６、および筐体１２の内部から外部に帯封紙幣を出金するための帯封紙幣出金部１７がそれぞれ設けられている。なお、図２における筐体１２の左側の側面が紙幣処理装置２の前面側（すなわち、図１に示すように紙幣処理装置２を見たときの正面側）となっており、図２における右方向が筐体１２の奥行き方向となっている。ここで、図２に示すように、入金部１４にはシャッター１４ａが設けられており、このシャッター１４ａは、入金部１４における筐体１２の前面に面する開口を開閉するようになっている。そして、シャッター１４ａにより入金部１４の開口が開かれると、操作者は入金部１４にアクセスすることができるようになり、当該操作者は入金部１４に１または複数のバラ紙幣を積層状態で投入することができるようになる。なお、図１では、シャッター１４ａが開かれて操作者が入金部１４にアクセスすることができるようになっている状態が示されている。このようなシャッター１４ａはシャッター駆動部１４ｂ（図３参照）により駆動されるようになっている。なお、シャッター１４ａを設けずに入金部１４を開放したままの状態としてもよい。また、バラ紙幣出金部１６にはシャッター１６ａが設けられており、このシャッター１６ａは、バラ紙幣出金部１６の前面に面する開口および帯封紙幣出金部１７の前面に面する開口を一体的に開閉するようになっている。そして、シャッター１６ａによりバラ紙幣出金部１６および帯封紙幣出金部１７の開口が開かれると、操作者はバラ紙幣出金部１６および帯封紙幣出金部１７にそれぞれアクセスすることができるようになり、当該操作者はバラ紙幣出金部１６や帯封紙幣出金部１７に集積されているバラ紙幣や帯封紙幣を筐体１２の外部に取り出すことができるようになる。このようなシャッター１６ａはシャッター駆動部１６ｂ（図３参照）により駆動されるようになっている。
【００２７】
図２に示すように、筐体１２の前面における入金部１４の下方には、紙幣処理装置２においてバラ紙幣の出金処理が行われる際にバラ紙幣出金部１６により出金すべきではないと判断されたバラ紙幣が集積される出金リジェクト部２４、および紙幣処理装置２においてバラ紙幣の入金処理が行われる際に後述する一括バラ紙幣収納庫３２や各金種別バラ紙幣収納庫３４に収納すべきではないと判断されたバラ紙幣が集積される入金リジェクト部２６がそれぞれ設けられている。ここで、図１および図２に示すように、出金リジェクト部２４および入金リジェクト部２６にはそれぞれシャッター２４ａ、２６ａが設けられており、これらのシャッター２４ａ、２６ａは、出金リジェクト部２４や入金リジェクト部２６における筐体１２の前面に面する開口をそれぞれ開閉するようになっている。そして、シャッター２４ａ、２６ａにより出金リジェクト部２４や入金リジェクト部２６の開口が開かれると、操作者は出金リジェクト部２４や入金リジェクト部２６にアクセスすることができるようになり、当該操作者は出金リジェクト部２４や入金リジェクト部２６に集積されているバラ紙幣を筐体１２の外部に取り出すことができるようになる。このようなシャッター２４ａ、２６ａはシャッター駆動部２４ｂ、２６ｂ（図３参照）により駆動されるようになっている。なお、シャッター２６ａを設けずに入金リジェクト部２６を開放したままの状態としてもよい。また、本実施の形態では、入金部１４の隣である直下に出金リジェクト部２４が配置されているため、出金リジェクト部２４内の出金リジェクト紙幣を入金部１４に投入して筐体１２内へ戻すようないわゆる出金リジェクト戻し処理を行なうときに、離れた位置から入金部１４へ投入するのではないので利便性に富んでいる。
【００２８】
図２に示すように、入金部１４には、当該入金部１４に投入されたバラ紙幣を１枚ずつ筐体１２の内部に繰り出すための紙幣繰出機構１４ｃが設けられている。また、紙幣処理装置２の筐体１２の内部には、当該筐体１２内でバラ紙幣を１枚ずつ搬送する搬送部１５が設けられており、紙幣繰出機構１４ｃにより入金部１４から繰り出されたバラ紙幣は当該搬送部１５により搬送されるようになっている。また、搬送部１５には識別部２０が設けられており、搬送部１５により搬送されるバラ紙幣は識別部２０によりその金種、真偽、表裏、正損、新旧、搬送状態等が識別されるようになっている。また、搬送部１５には表裏反転部２２が設けられており、識別部２０により識別されたバラ紙幣は表裏反転部２２によりその表裏が揃うように反転させられるようになっている。
【００２９】
また、図２に示すように、搬送部１５には入金一時保留部３０、一括バラ紙幣収納庫３２および複数（図２に示す例では３つ）の金種別バラ紙幣収納庫３４がそれぞれ接続されており、搬送部１５からこれらの入金一時保留部３０、一括バラ紙幣収納庫３２および各金種別バラ紙幣収納庫３４にバラ紙幣が送られるようになっている。これらの入金一時保留部３０、一括バラ紙幣収納庫３２および各金種別バラ紙幣収納庫３４では、バラ紙幣が積層状態で集積されるようになっている。また、入金一時保留部３０には紙幣繰出繰入機構３０ａが設けられており、当該入金一時保留部３０に一時的に保留されているバラ紙幣は紙幣繰出繰入機構３０ａにより１枚ずつ搬送部１５に繰り出されるようになっている。また、紙幣繰出繰入機構３０ａにより搬送部１５から入金一時保留部３０に紙幣が１枚ずつ繰り入れられるようになっている。ここで、入金一時保留部３０には、バラ紙幣の入金処理において識別部２０により識別されたバラ紙幣が一括バラ紙幣収納庫３２や各金種別バラ紙幣収納庫３４に収納される前に一時的に保留されるようになっている。このような入金一時保留部３０の構成の詳細については後述する。また、一括バラ紙幣収納庫３２には紙幣繰出繰入機構３２ａが設けられており、当該一括バラ紙幣収納庫３２に収納されているバラ紙幣は紙幣繰出繰入機構３２ａにより１枚ずつ搬送部１５に繰り出されるようになっている。また、紙幣繰出繰入機構３２ａにより搬送部１５から一括バラ紙幣収納庫３２にバラ紙幣が１枚ずつ繰り入れられるようになっている。ここで、一括バラ紙幣収納庫３２には、複数の金種のバラ紙幣が混合状態で収納されるようになっている。また、各金種別バラ紙幣収納庫３４には紙幣繰出繰入機構３４ａが設けられており、各金種別バラ紙幣収納庫３４に収納されているバラ紙幣は紙幣繰出繰入機構３４ａにより１枚ずつ搬送部１５に繰り出されるようになっている。また、紙幣繰出繰入機構３４ａにより搬送部１５から各金種別バラ紙幣収納庫３４にバラ紙幣が１枚ずつ繰り入れられるようになっている。ここで、各金種別バラ紙幣収納庫３４には、それぞれ予め設定された特定の金種のバラ紙幣が収納されるようになっている。
【００３０】
図１および図２に示すように、筐体１２の下部には前扉１２ａが設けられており、この前扉１２ａを開くことにより操作者は入金一時保留部３０の内部にアクセスすることができるようになっている。このような前扉１２ａの構成の詳細については後述する。また、入金一時保留部３０、一括バラ紙幣収納庫３２および各金種別バラ紙幣収納庫３４は、筐体１２の内部から手前側に（すなわち、図２における左方向に）引き出し可能となっている引出ユニット１３に収容されている。そして、操作者が前扉１２ａを開いて引出ユニット１３を筐体１２の内部から手前側に引き出すことにより、当該操作者は一括バラ紙幣収納庫３２および各金種別バラ紙幣収納庫３４を引出ユニット１３から取り外すことができるようになる。
【００３１】
また、図２に示すように、搬送部１５には複数（図２に示す例では２つ）の整理一時保留部４０が接続されており、当該搬送部１５から各整理一時保留部４０にバラ紙幣が送られるとこれらの整理一時保留部４０にバラ紙幣が積層状態で集積されるようになっている。また、本実施の形態による紙幣処理装置２では、所定枚数（例えば、１００枚）のバラ紙幣からなる紙幣束に帯封紙を巻くことにより帯封紙幣を形成する帯封機構５０が設けられている。
【００３２】
また、図２に示すように、筐体１２の内部には第１アーム機構４１および第２アーム機構４２が設けられている。第１アーム機構４１は、各整理一時保留部４０および帯封機構５０の間で移動可能となっており、各整理一時保留部４０に集積された所定枚数のバラ紙幣からなる紙幣束を帯封機構５０に搬送するようになっている。ここで、帯封機構５０において帯封処理が行われる際に、第１アーム機構４１の上下一対のアーム部により挟持された状態にある紙幣束の外周面に帯封紙が巻かれるようになっている。また、第１アーム機構４１は図２に示す位置から上方に移動して第２アーム機構４２に対向する位置まで到達することができるようになっている。このことにより、各整理一時保留部４０から第１アーム機構４１により取り出された１または複数の束状態のバラ紙幣を当該第１アーム機構４１から第２アーム機構４２に受け渡したり、帯封機構５０により形成された帯封紙幣を第１アーム機構４１から第２アーム機構４２に受け渡したりすることができるようになる。
【００３３】
第２アーム機構４２は図２に示す位置からバラ紙幣出金部１６に向かって筐体１２の手前側に（すなわち、図２における左方向に）移動することができるようになっている。このことにより、第１アーム機構４１から１または複数の束状態のバラ紙幣や帯封紙幣が第２アーム機構４２に受け渡された後、第２アーム機構４２の上下一対のアーム部により１または複数の束状態のバラ紙幣や帯封紙幣が挟持された状態で当該第２アーム機構４２が図２の矢印に示すようにバラ紙幣出金部１６に向かって移動することにより、第２アーム機構４２によって保持されている１または複数の束状態のバラ紙幣や帯封紙幣がバラ紙幣出金部１６に送られるようになる。より詳細には、図２に示すように、バラ紙幣出金部１６の背面側（すなわち、図２における右側）には、図２に示す位置から下方に移動可能となっている、鉛直方向に延びる板状の分離部材１９が設けられており、第２アーム機構４２の上下一対のアーム部により１または複数の束状態のバラ紙幣や帯封紙幣が挟持された状態で当該第２アーム機構４２の各アーム部がバラ紙幣出金部１６の内部にアクセスした後、分離部材１９が図２に示す位置から下方に移動し、その後に第２アーム機構４２において各アーム部から１または複数の束状態のバラ紙幣や帯封紙幣が解放されて当該第２アーム機構４２がバラ紙幣出金部１６から遠ざかる方向（すなわち、図２における右方向）に移動すると、１または複数の束状態のバラ紙幣や帯封紙幣は分離部材１９に当接することにより第２アーム機構４２から分離してバラ紙幣出金部１６に残るようになる。
【００３４】
また、図２に示すように、本実施の形態では、バラ紙幣出金部１６および帯封紙幣出金部１７をまたがって図２における上下方向に移動可能となっているステージ１８が設けられている。ここで、本実施の形態の紙幣処理装置２においてバラ紙幣の出金処理が行われる際には、ステージ１８は図２に示すように帯封紙幣出金部１７の底面近傍に位置するようになり、第２アーム機構４２からバラ紙幣出金部１６に送られた１または複数の束状態のバラ紙幣は当該バラ紙幣出金部１６に集積されるようになる。一方、本実施の形態の紙幣処理装置２において帯封紙幣の出金処理が行われる際には、ステージ１８は図２に示す位置から下方に移動してバラ紙幣出金部１６の底面近傍に位置するようになり、第２アーム機構４２からバラ紙幣出金部１６に帯封紙幣が送られると当該帯封紙幣はステージ１８上に集積されるようになる。そして、ステージ１８が上昇してバラ紙幣出金部１６から帯封紙幣出金部１７に移動すると、ステージ１８から帯封紙幣出金部１７に帯封紙幣が受け渡されて当該帯封紙幣は帯封紙幣出金部１７に集積されるようになる。本実施の形態では、紙幣処理装置２において複数の帯封紙幣の出金処理が行われるときには、帯封紙幣出金部１７に帯封紙幣が下から順次積み上げられるようになる。
【００３５】
また、図２に示すように、筐体１２の内部における上部領域には、一括帯封紙幣収納庫７０および複数（図２に示す例では３つ）の金種別帯封紙幣収納庫７２が設けられており、これらの一括帯封紙幣収納庫７０や各金種別帯封紙幣収納庫７２には、帯封機構５０により形成された帯封紙幣が積層状態で収納されるようになっている。具体的には、一括帯封紙幣収納庫７０には、複数の金種の帯封紙幣が混合状態で収納されるようになっており、一方、各金種別帯封紙幣収納庫７２には、それぞれ予め設定された特定の金種の帯封紙幣が収納されるようになっている。ここで、ある金種の金種別帯封紙幣収納庫７２がフル状態またはニアフル状態であり当該金種別帯封紙幣収納庫７２に帯封紙幣をこれ以上収納することができなくなった場合には、当該金種の帯封紙幣はオーバーフロー帯封紙幣として一括帯封紙幣収納庫７０に収納されるようになる。
【００３６】
一括帯封紙幣収納庫７０および各金種別帯封紙幣収納庫７２の内部にはそれぞれ図２における上下方向に移動可能となっているステージ７０ａ、７２ａが設けられており、一括帯封紙幣収納庫７０および各金種別帯封紙幣収納庫７２の上端部（天井部分）に設けられた開口からこれらの一括帯封紙幣収納庫７０および各金種別帯封紙幣収納庫７２に送られた帯封紙幣はステージ７０ａ、７２ａ上に積層状態で集積されるようになっている。また、一括帯封紙幣収納庫７０や各金種別帯封紙幣収納庫７２から帯封紙幣を出す場合には、ステージ７０ａ、７２ａが上昇することにより一括帯封紙幣収納庫７０や各金種別帯封紙幣収納庫７２の上端部（天井部分）に設けられた開口から帯封紙幣が上方に出されるようになる。
【００３７】
また、これらの一括帯封紙幣収納庫７０や各金種別帯封紙幣収納庫７２の上方には帯封紙幣の搬送を行う帯封紙幣搬送部６０が設けられている。帯封紙幣搬送部６０は、複数の突起６０ａが等間隔で設けられた循環ベルト６０ｂを有しており、この循環ベルト６０ｂは図２における時計回りの方向および反時計回りの方向の両方向に循環移動することができるようになっている。そして、帯封紙幣搬送部６０により帯封紙幣が搬送される際に、当該帯封紙幣は循環ベルト６０ｂの下面に沿って突起６０ａにより引っ掛けられた状態で図２における左右いずれかの方向に移動するようになる。また、図２に示すように、帯封紙幣搬送部６０による帯封紙幣の搬送路における帯封紙幣出金部１７と一括帯封紙幣収納庫７０との間には判別部６２が設けられており、帯封紙幣搬送部６０により搬送される帯封紙幣は当該判別部６２によりその金種が判別されるようになっている。
【００３８】
ここで、帯封機構５０により形成された帯封紙幣を一括帯封紙幣収納庫７０や各金種別帯封紙幣収納庫７２に収納させる際には、第２アーム機構４２により帯封紙幣がステージ１８上に集積された後に当該ステージ１８が上昇して帯封紙幣搬送部６０の近傍の位置まで到達するようになる。また、循環ベルト６０ｂは図２における反時計回りの方向に循環移動する。このことにより、ステージ１８上の帯封紙幣が突起６０ａにより引っ掛けられて循環ベルト６０ｂの下面に沿って図２における右方向に搬送され、判別部６２によりその金種が判別された後、当該判別部６２による判別結果に基づいて一括帯封紙幣収納庫７０や各金種別帯封紙幣収納庫７２に収納されるようになる。一方、一括帯封紙幣収納庫７０や各金種別帯封紙幣収納庫７２に収納されている帯封紙幣を帯封紙幣出金部１７により出金する際には、循環ベルト６０ｂは図２における時計回りの方向に循環移動し、一括帯封紙幣収納庫７０や各金種別帯封紙幣収納庫７２から上方に押し出された帯封紙幣が突起６０ａにより引っ掛けられて循環ベルト６０ｂの下面に沿って図２における左方向に搬送されるようになる。また、ステージ１８が上昇して帯封紙幣搬送部６０の近傍の位置まで到達するようになる。そして、帯封紙幣搬送部６０により搬送される帯封紙幣の金種が判別部６２により判別された後、当該帯封紙幣はステージ１８上に１つずつ集積され、ステージ１８上に所定の数の帯封紙幣が集積されると当該ステージ１８が下降してこのステージ１８から帯封紙幣出金部１７に帯封紙幣が受け渡されるようになる。帯封紙幣が循環ベルト６０ｂの下面に沿って搬送される際に、一括帯封紙幣収納庫７０および各金種別帯封紙幣収納庫７２の上端部（天井部分）に設けられた開口のうち、帯封紙幣の繰り出しや繰り入れの対象となる一括帯封紙幣収納庫７０および各金種別帯封紙幣収納庫７２の開口が開くようになる。一方、帯封紙幣の繰り出しや繰り入れの対象外の一括帯封紙幣収納庫７０および各金種別帯封紙幣収納庫７２の開口はシャッター（図示しない）で塞がれるようになり、帯封紙幣の通過の妨げとならないようになっている。
【００３９】
次に、本実施の形態の紙幣処理装置２における入金一時保留部３０および前扉１２ａの構成の詳細について図４乃至図１６を用いて説明する。
【００４０】
図２等に示すように、本実施の形態の紙幣処理装置２における入金一時保留部３０の内部にはステージ９０が設けられている。ステージ９０は図２における上下方向に移動可能となっており、搬送部１５から紙幣繰出繰入機構３０ａにより入金一時保留部３０の内部に送られたバラ紙幣はステージ９０上に積層状態で集積されるようになっている。また、この際に、搬送部１５から入金一時保留部３０の内部に所定枚数のバラ紙幣が送られる度にステージ９０は少しずつ図２における下方向に移動するようになっている。また、入金一時保留部３０の内部に一時的に保留されているバラ紙幣を紙幣繰出繰入機構３０ａにより搬送部１５に繰り出す場合には、ステージ９０が図２における上方向に移動し、このステージ９０に積層状態で集積されている複数のバラ紙幣のうち最上層に位置するバラ紙幣を紙幣繰出繰入機構３０ａのキッカローラ３０ｃ（後述）に当接させるようになっている。
【００４１】
このようなステージ９０は図７等に示す駆動部９１により図２等における上下方向に移動させられるようになっている。駆動部９１は、駆動モータ９１ａと、駆動モータ９１ａのプーリに掛けられた循環ベルト９１ｂとを有しており、この循環ベルト９１ｂにステージ９０が取り付けられている。また、循環ベルト９１ｂは概ね入金一時保留部３０の内部で上下方向に延びるよう設けられている。また、駆動モータ９１ａは正逆両方向に回転可能となっており、このことにより循環ベルト９１ｂは図７等における時計回りの方向および反時計回りの方向の両方向に循環移動することができるようになっている。そして、駆動モータ９１ａが回転して循環ベルト９１ｂが循環移動を行うことにより、この循環ベルト９１ｂに取り付けられたステージ９０が図７等における上下方向に移動するようになる。
【００４２】
また、ステージ９０には検知板９０ａが取り付けられており、入金一時保留部３０の内部における下部領域にはこの検知板９０ａを検知するためのフォトインタラプタ等の２つの検知センサ９２ａ、９２ｂが設けられている。図７に示すようにステージ９０が上方位置に位置するときにはこのステージ９０に取り付けられている検知板９０ａが各検知センサ９２ａ、９２ｂにより検知されないが、図８に示すようにステージ９０が下降するとまず検知板９０ａが上側の検知センサ９２ａにより検知される。そして、ステージ９０が更に下降すると検知板９０ａが下側の検知センサ９２ｂにより検知される。ここで、下側の検知センサ９２ｂはステージ９０が下限位置に到達したことを検知するための下限センサとして機能するようになっており、下側の検知センサ９２ｂにより検知板９０ａが検知されると駆動部９１の駆動モータ９１ａが停止させられてステージ９０が下方向にこれ以上移動しないようになっている。
【００４３】
図６や図７等に示すように、入金一時保留部３０の上端部近傍に設けられた紙幣繰出繰入機構３０ａは、左右一対のフィードローラ３０ｂと、左右一対のキッカローラ３０ｃと、各フィードローラ３０ｂに対向するよう設けられたゲートローラ３０ｄとを有している。ここで、搬送部１５から紙幣繰出繰入機構３０ａにより入金一時保留部３０にバラ紙幣を送る際には、各フィードローラ３０ｂと各ゲートローラ３０ｄとの間に形成されたゲート部を通過したバラ紙幣が入金一時保留部３０の内部に送られてステージ９０上に集積されるようになる。また、入金一時保留部３０に一時的に保留されているバラ紙幣を紙幣繰出繰入機構３０ａにより搬送部１５に繰り出す際には、ステージ９０に集積されている複数のバラ紙幣のうち最上層に位置するバラ紙幣が各キッカローラ３０ｃにより各フィードローラ３０ｂに向かって蹴り出され、これらのキッカローラ３０ｃにより蹴り出されたバラ紙幣が各フィードローラ３０ｂにより１枚ずつ搬送部１５に繰り出されるようになる。この際に、各フィードローラ３０ｂにより繰り出されるバラ紙幣は各フィードローラ３０ｂと各ゲートローラ３０ｄとの間に形成されたゲート部を通過することにより１枚ずつに分離されるようになっている。
【００４４】
また、図７乃至図１４に示すように、各キッカローラ３０ｃは、フィードローラ３０ｂの軸を中心として揺動可能となっている。より詳細には、フィードローラ３０ｂの軸には、ステージ９０上の紙幣に各キッカローラ３０ｃを押し付けるために当該フィードローラ３０ｂの軸を中心として各キッカローラ３０ｃを図７等における反時計回りの方向に付勢するねじりバネ等の付勢部材が設けられている。ここで、入金一時保留部３０の内部に紙幣が保留されている場合には、各キッカローラ３０ｃはステージ９０に載置された紙幣により上方に持ち上げられるようになるが、各キッカローラ３０ｃがステージ９０上の紙幣により上方に持ち上げられなくなると、各キッカローラ３０ｃはフィードローラ３０ｂの軸を中心として図７等における反時計回りの方向に回転するようになる。また、各キッカローラ３０ｃと一体的にフィードローラ３０ｂの軸を中心として揺動する検知板３０ｅが設けられているとともに、この検知板３０ｅを検知するためのフォトインタラプタ等の検知センサ３１が設けられている。このことにより、図７に示すような状態では検知板３０ｅが検知センサ３１により検知されているが、図７に示すような状態からステージ９０が下方向に移動し、各キッカローラ３０ｃがフィードローラ３０ｂの軸を中心として図７等における反時計回りの方向に回転すると、図１０や図１１に示すように検知板３０ｅが検知センサ３１により検知されなくなり、よって後述する制御部８０において各キッカローラ３０ｃがフィードローラ３０ｂの軸を中心として回転したと判断されるようになる。
【００４５】
また、本実施の形態の紙幣処理装置２では、入金一時保留部３０の内部においてステージ９０の上方にセパレータ９３（区分け部材）が設けられており、このセパレータ９３により入金一時保留部３０の内部を複数（図２に示す例では２つ）の紙幣収納領域に区分けることができるようになっている。ここで、セパレータ９３は、入金一時保留部３０の内部を２つの紙幣収納領域に区分ける区分け位置（具体的には、図２において実線で示す位置）と、入金一時保留部３０の内部を１つの紙幣収納領域とする退避位置（具体的には、図２において二点鎖線で示す位置）との間で図２における上下方向に移動自在となっている。より詳細には、セパレータ９３が区分け位置に移動したときには、当該セパレータ９３は紙幣繰出繰入機構３０ａの下方に位置するようになる。このことにより、ステージ９０とセパレータ９３との間に第１紙幣収納領域が形成されるとともに、セパレータ９３と紙幣繰出繰入機構３０ａとの間に第２紙幣収納領域が形成されるようになる。一方、セパレータ９３が退避位置に移動したときには、当該セパレータ９３は、後述するように上側セパレータ部分９４が後退位置にあって前後方向に縮小した状態となって紙幣繰出繰入機構３０ａの手前側（前方）に位置するようになる。このことにより、ステージ９０と紙幣繰出繰入機構３０ａとの間に１つの紙幣収納領域が形成されるようになる。なお、本実施の形態では、セパレータ９３には当該セパレータ９３を入金一時保留部３０の内部で上下方向に移動させる駆動源が設けられておらず、セパレータ９３はステージ９０と連れ立って入金一時保留部３０の内部で上下方向に移動するようになっている。
【００４６】
本実施の形態では、図６や図７等に示すように、セパレータ９３は、上側セパレータ部分９４および下側セパレータ部分９６からなる２つのセパレータ部分から構成されている。なお、図６（ａ）は、セパレータ９３が退避位置にあるときの上側セパレータ部分９４および下側セパレータ部分９６の状態を示す図であり、図６（ｂ）は、セパレータ９３が区分け位置にあるときの上側セパレータ部分９４および下側セパレータ部分９６の状態を示す図である。ここで、セパレータ９３が図６（ａ）に示すような退避位置にあるときには、当該セパレータ９３は図示しないロック部によってロックされ、退避位置からセパレータ９３が自重により入金一時保留部３０内で下方向に落下しないようになっている。一方、このようなロック部によるセパレータ９３のロックが外れると、当該セパレータ９３は自重により入金一時保留部３０内で下方向に落下するようになり、ステージ９０に集積されている紙幣の上にセパレータ９３が載るようになる。この際に、ステージ９０に紙幣が集積されていない場合には、ステージ９０にセパレータ９３が直接載るようになる。なお、このようなロック部によるセパレータ９３のロックは、ステージ９０が図７に示すような上方位置から下降してこのステージ９０に取り付けられている検知板９０ａが上側の検知センサ９２ａによって検知されたときに解除されるようになっている。これは、ステージ９０とセパレータ９３との間に収納される紙幣の枚数を確保するためである。
【００４７】
また、入金一時保留部３０の内部における上下方向の中央位置には、セパレータ９３（具体的には、下側セパレータ部分９６）の移動を規制するための規制部材（図示せず）が設けられており、ロック部によるロックが解除されたセパレータ９３の下側セパレータ部分９６はこの規制部材よりも下方に移動することができないようになっている。
【００４８】
また、図６、図７等に示すように、上側セパレータ部分９４の奥行き方向の長さは、下側セパレータ部分９６の奥行き方向の長さの約半分の大きさとなっている。また、上側セパレータ部分９４は、下側セパレータ部分９６の奥行き方向における手前側の半分の領域である後退位置と、下側セパレータ部分９６の奥行き方向における奥側の半分の領域である進出位置との間で移動自在となっている。このような上側セパレータ部分９４の動作の詳細について図１５および図１６を用いて説明する。なお、図１５および図１６は、入金一時保留部３０に設けられたセパレータ９３を上方から見たときの構成を示す上面図であり、このうち図１５は上側セパレータ部分９４が後退位置に位置しているときの状態を示す図であり、図１６は上側セパレータ部分９４が進出位置に位置しているときの状態を示す図である。
【００４９】
図１５および図１６に示すように、上側セパレータ部分９４と下側セパレータ部分９６との間には図１５等における上下方向に伸縮可能となっているパンタグラフ機構９７が設けられている。ここで、パンタグラフ機構９７の手前側の端部に設けられた各軸９７ａ、９７ｃは下側セパレータ部分９６に回転自在に取り付けられているのに対し、パンタグラフ機構９７の奥側の端部に設けられた各軸９７ｂ、９７ｄは上側セパレータ部分９４に回転自在に取り付けられている。また、軸９７ａは下側セパレータ部分９６に位置固定で設けられており、軸９７ｂは上側セパレータ部分９４に位置固定で設けられているのに対し、軸９７ｃは下側セパレータ部分９６に対して図１５等における左右方向に移動可能となっており、また軸９７ｄは上側セパレータ部分９４に対して図１５等における左右方向に移動可能となっている。
【００５０】
また、図１５等に示すように、下側セパレータ部分９６には、パンタグラフ機構９７の軸９７ｃがその端部に設けられたアクチュエータ９８が図１５等における左右方向に移動自在となるよう設けられており、このアクチュエータ９８は図示しない駆動モータ等の駆動源により駆動されるようになっている。そして、アクチュエータ９８が図１５等における左右方向に移動することによりパンタグラフ機構９７の軸９７ｄも図１５等における左右方向に移動し、このことによりパンタグラフ機構９７が図１５等における上下方向に伸縮するようになる。図１５に示すように上側セパレータ部分９４が後退位置に位置しているときには、当該上側セパレータ部分９４は紙幣繰出繰入機構３０ａの各キッカローラ３０ｃよりも手前側に位置するようになり、一方、図１５に示すように上側セパレータ部分９４が進出位置に位置しているときには、セパレータ９３を上方から見て上側セパレータ部分９４が紙幣繰出繰入機構３０ａの各キッカローラ３０ｃと重複するようになる。すなわち、上側セパレータ部分９４が進出位置に位置しているときには、当該上側セパレータ部分９４の真上に紙幣繰出繰入機構３０ａの各キッカローラ３０ｃが位置するようになる（図１１、図１２参照）。また、図１５および図１６に示すように、ステージ９０やセパレータ９３が入金一時保留部３０の内部で上下方向に移動する際にこれらのステージ９０やセパレータ９３を案内する棒状の案内部材９９が設けられている。このような案内部材９９は入金一時保留部３０の内部で上下方向に沿って延びるようになっている。
【００５１】
また、図７等に示すように、入金一時保留部３０の内部には、上側セパレータ部分９４の位置を検知するためのフォトインタラプタ等の３つの検知センサ９５ａ、９５ｂ、９５ｃが設けられている。ロック部によりセパレータ９３がロックされており、当該セパレータ９３が図７に示すような退避位置に位置しているときには、上側セパレータ部分９４に取り付けられた検知板９４ａが検知センサ９５ｃにより検知されるようになる。このことにより、後述する制御部８０においてセパレータ９３が図７に示すような退避位置に位置していると判断されるようになる。一方、ロック部によるセパレータ９３のロックが解除され、当該セパレータ９３が図７に示すような退避位置から下方向に移動すると、上側セパレータ部分９４に取り付けられた検知板９４ａが検知センサ９５ａ、９５ｂにより検知されるようになる。このようにして、セパレータ９３が図７に示すような退避位置から下方向に移動したときの当該セパレータ９３の位置が検知されるようになる。
【００５２】
次に、このようなセパレータ９３の上側セパレータ部分９４および下側セパレータ部分９６の動作について図７乃至図１４を用いて説明する。
【００５３】
図７は、セパレータ９３が退避位置にあるとともにステージ９０が上方位置にあるときの状態を示す図である。図７に示すような状態では図示しないロック部によりセパレータ９３がロックされており、このセパレータ９３は図７に示すような退避位置から下方向に移動することができないようになっている。また、セパレータ９３が退避位置に位置しているときには、このセパレータ９３の上側セパレータ部分９４は図１５に示すような後退位置に位置しており、当該上側セパレータ部分９４は紙幣繰出繰入機構３０ａの各キッカローラ３０ｃよりも手前側に位置するようになっている。また、図７に示すようにセパレータ９３が退避位置に位置しているときには、ステージ９０とセパレータ９３との間に紙幣収納空間３０ｐが形成されるようになる。
【００５４】
一方、ステージ９０が図７に示すような上方位置から下方向に移動すると、図８に示すようにこのステージ９０に取り付けられた検知板９０ａが上側の検知センサ９２ａにより検知されるようになる。このことによりロック部によるセパレータ９３のロックが解除され、当該セパレータ９３は図７に示すような退避位置から下方向に移動することができるようになる。
【００５５】
図９は、ロック部によるセパレータ９３のロックが解除された後、当該セパレータ９３が自重により図７に示すような退避位置から下方向に移動してステージ９０上に載置されたときの状態を示す図である。なお、図９ではステージ９０とセパレータ９３との間に紙幣が存在しないか、ステージ９０上の最後の１枚の紙幣が紙幣繰出繰入機構３０ａにより搬送部１５に繰り出されるときの状態が示されているが、ステージ９０とセパレータ９３との間に複数の紙幣が存在する場合には、セパレータ９３はステージ９０に集積されている複数の紙幣の上に載置されるようになる。
【００５６】
図１０は、図９に示す状態からステージ９０およびセパレータ９３が更に下方向に移動して後退位置（図１５参照）にある上側セパレータ部分９４が進出位置に移動可能となった状態を示す図である。また、図１１は、図１０に示す状態からパンタグラフ機構９７が伸びて上側セパレータ部分９４が後退位置から進出位置（図１６参照）に移動したときの状態を示す図である。図１１に示すように、上側セパレータ部分９４が後退位置から進出位置に移動すると、セパレータ９３の上方に紙幣収納空間３０ｑが形成されるようになる。すなわち、図１１に示すような状態では、ステージ９０とセパレータ９３との間に紙幣収納空間が形成されるとともに、セパレータ９３の上方にも紙幣収納空間３０ｑが形成されるようになり、入金一時保留部３０がセパレータ９３によって２つの紙幣収納空間に区切られるようになる。また、図１０および図１１では紙幣繰出繰入機構３０ａとステージ９０との間にセパレータ９３が位置しており、各キッカローラ３０ｃがステージ９０上の紙幣により上方に持ち上げられなくなるため、各キッカローラ３０ｃはフィードローラ３０ｂの軸を中心として図１０等における反時計回りの方向に回転し、検知板３０ｅが検知センサ３１により検知されなくなる。
【００５７】
図１２は、図１１に示す状態からステージ９０およびセパレータ９３が上方向に移動してセパレータ９３上の最後の紙幣を入金一時保留部３０から搬送部１５に繰り出すときの状態を示す図である。ここで、セパレータ９３上の紙幣を紙幣繰出繰入機構３０ａによって搬送部１５に繰り出す際に、上側セパレータ部分９４に載置されている紙幣によって各キッカローラ３０ｃが上方に持ち上げられることにより各キッカローラ３０ｃはフィードローラ３０ｂの軸を中心として図１２等における時計回りの方向に回転し、検知板３０ｅが検知センサ３１により検知されるようになる。また、図１３は、図１２に示す状態からステージ９０およびセパレータ９３が更に上方向に移動して進出位置にある上側セパレータ部分９４が後退位置に移動可能となった状態を示す図である。ここで、図１２に示す状態からステージ９０およびセパレータ９３が上方向に移動する際に、各キッカローラ３０ｃは上側セパレータ部分９４によって更に上方に持ち上げられるようになる。また、図１４は、図１３に示す状態から上側セパレータ部分９４が進出位置から後退位置に移動したときの状態を示す図である。図１４に示すように上側セパレータ部分９４が進出位置から後退位置に移動した後、ステージ９０およびセパレータ９３が上方向に更に移動すると、図７に示すようにセパレータ９３が退避位置に戻るともにステージ９０が上方位置に位置するようになる。ここで、セパレータ９３が退避位置に戻るとロック部により当該セパレータ９３がロックされるようになる。
【００５８】
また、本実施の形態の紙幣処理装置２では、図４および図５に示すように、筐体１２に設けられた前扉１２ａは外扉部分１２ｂおよび内扉部分１２ｃからなる二重の扉部分から構成されている。ここで、内扉部分１２ｃは外扉部分１２ｂにロック可能となっているとともに、この内扉部分１２ｃは筐体１２にもロック可能となっている。内扉部分１２ｃが外扉部分１２ｂにロックされた場合には、これらの外扉部分１２ｂおよび内扉部分１２ｃは一体的に開閉するようになり、外扉部分１２ｂおよび内扉部分１２ｃを開くと入金一時保留部３０におけるセパレータ９３により区分けされた全ての紙幣収納領域（すなわち、上述したようなセパレータ９３より下側の第１紙幣収納領域およびセパレータ９３より上側の第２紙幣収納領域）にアクセス可能となる。このことにより、操作者は外扉部分１２ｂおよび内扉部分１２ｃを一体的に開いたときに入金一時保留部３０におけるセパレータ９３により区分けされた各紙幣収納領域からバラ紙幣を取り出したりこれらの各紙幣収納領域にバラ紙幣を投入したりすることができるようになる。
【００５９】
一方、内扉部分１２ｃが筐体１２にロックされた場合には、この内扉部分１２ｃを動かすことができなくなるため外扉部分１２ｂのみが開閉するようになる。この場合には、外扉部分１２ｂを開いたときに、入金一時保留部３０におけるセパレータ９３により区分けされた複数の紙幣収納領域のうち一部の紙幣収納領域（具体的には、セパレータ９３と紙幣繰出繰入機構３０ａとの間にある第２紙幣収納領域）のみにアクセス可能となる。このことにより、操作者は外扉部分１２ｂのみを開いたときにセパレータ９３と紙幣繰出繰入機構３０ａとの間にある第２紙幣収納領域からバラ紙幣を取り出したりこの第２紙幣収納領域にバラ紙幣を投入したりすることができるようになるが、ステージ９０とセパレータ９３との間にある第１紙幣収納領域からバラ紙幣を取り出したりこの第１紙幣収納領域にバラ紙幣を投入したりすることができなくなる。ここで、第１紙幣収納領域からバラ紙幣を取り出すことができないようにするために、内扉部分１２ｃの上端縁の高さは、規制部材（図示せず）によりその下限位置が規制されたセパレータ９３（具体的には、下側セパレータ部分９６）の当該下限位置と同じ高さかそれよりも高い位置に設定されている。なお、内扉部分１２ｃを外扉部分１２ｂと筐体１２のどちらの側にロックするかは、操作者がアクセスしようとする紙幣収納領域によって決められるようになっている。また、ロック機構としては、例えば電気的ロック機構が用いられるようになっている。このような前扉１２ａの構造によれば、アクセスしようとする紙幣収納領域に関係なく、操作者にしてみれば外扉部分１２ｂを開けるという共通の動作で、第１紙幣収納領域と第２紙幣収納領域の全てにアクセスできたり、第２紙幣収納領域のみにアクセスできたりするので扱いやすく操作性に優れたものとなる。
【００６０】
また、本実施の形態の貨幣処理機１には、当該貨幣処理機１の各構成部材の制御を行う制御部８０が設けられている。より詳細には、図３に示すように、制御部８０には、紙幣処理装置２の入金部１４（具体的には、入金部１４に設けられた紙幣繰出機構１４ｃ）、搬送部１５、識別部２０、表裏反転部２２、入金一時保留部３０（具体的には、入金一時保留部３０に設けられた紙幣繰出繰入機構３０ａ、駆動部９１、アクチュエータ９８の駆動源等）、一括バラ紙幣収納庫３２（具体的には、一括バラ紙幣収納庫３２に設けられた紙幣繰出繰入機構３２ａ）、各金種別バラ紙幣収納庫３４（具体的には、各金種別バラ紙幣収納庫３４に設けられた紙幣繰出繰入機構３４ａ）、第１アーム機構４１、第２アーム機構４２、帯封機構５０、帯封紙幣搬送部６０、判別部６２、一括帯封紙幣収納庫７０、各金種別帯封紙幣収納庫７２、各シャッター１４ａ、１６ａ、２４ａ、２６ａを開閉させるシャッター駆動部１４ｂ、１６ｂ、２４ｂ、２６ｂがそれぞれ接続されている。そして、識別部２０による紙幣の識別結果に係る信号や判別部６２による帯封紙幣の金種の判別結果に係る情報等が制御部８０に送られるとともに、制御部８０は紙幣処理装置２の各構成部材に指令信号を送ることによりこれらの構成部材の動作を制御するようになっている。
【００６１】
また、図３に示すように、制御部８０には硬貨処理装置３の各構成部材が接続されており、当該制御部８０が硬貨処理装置３の各構成部材の動作を制御することにより硬貨処理装置３においてバラ硬貨の入金処理や出金処理等が行われるようになっている。このような制御部８０による硬貨処理装置３の各構成部材の制御方法の詳細については説明を省略する。また、図３に示すように、制御部８０には操作表示部８２、記憶部８４、印字部８６および通信インターフェース部８８がそれぞれ接続されている。図１に示すように、操作表示部８２は貨幣処理機１の前面に設けられたタッチパネル等からなり、当該操作表示部８２には、貨幣処理機１における貨幣の処理状況や、紙幣処理装置２や硬貨処理装置３に収納されているバラ紙幣、帯封紙幣およびバラ硬貨の在高等に関する情報が表示されるようになっている。また、操作者は操作表示部８２により制御部８０に対して様々な指令を与えることができるようになっている。
【００６２】
記憶部８４には、貨幣処理機１における貨幣の処理履歴や、紙幣処理装置２や硬貨処理装置３に収納されているバラ紙幣、帯封紙幣およびバラ硬貨の在高等に関する情報が記憶されるようになっている。また、図１に示すように、印字部８６は貨幣処理機１の前面に設けられたプリンタ等からなり、当該印字部８６は、貨幣処理機１における貨幣の処理履歴や、紙幣処理装置２や硬貨処理装置３に収納されているバラ紙幣、帯封紙幣およびバラ硬貨の在高等に関する情報をレシート等に印字するようになっている。また、制御部８０は通信インターフェース部８８を介して本実施の形態による貨幣処理機１とは別に設けられた外部装置（具体的には、例えば上位端末）に対して信号の送受信を行うことができるようになっている。
【００６３】
次に、このような構成からなる貨幣処理機１における紙幣処理装置２の動作について説明する。なお、以下に示すような紙幣処理装置２の動作は、制御部８０が紙幣処理装置２の各構成部材を制御することにより行われるようになっている。また、紙幣処理装置２において帯封機構５０により帯封紙幣を作成する動作、ならびに帯封機構５０により作成された帯封紙幣や、一括帯封紙幣収納庫７０や各金種別帯封紙幣収納庫７２に収納されている帯封紙幣を出金する動作等については本発明と直接的な関係がないためその説明を省略する。
【００６４】
まず、紙幣処理装置２においてバラ紙幣の入金処理を行う際の動作について説明する。本実施の形態による紙幣処理装置２が待機状態となっているときに、操作者が入金処理開始の指令を操作表示部８２により制御部８０に入力したり上位端末等の外部装置から通信インターフェース部８８を介して制御部８０に入金処理開始の指令が送信されたりすると、入金部１４に設けられたシャッター１４ａが開かれるようになり、操作者は入金部１４に１または複数のバラ紙幣を投入することができるようになる。入金部１４に投入されたバラ紙幣は紙幣繰出機構１４ｃにより１枚ずつ筐体１２内に繰り出され、搬送部１５により１枚ずつ搬送される。そして、搬送部１５により搬送されるバラ紙幣は識別部２０によりその金種、真偽、表裏、正損、新旧、搬送状態等が識別される。また、識別部２０により識別されたバラ紙幣は表裏反転部２２によりその表裏が揃うよう整えられる。そして、識別部２０により正常な紙幣ではないと識別された紙幣、すなわちリジェクト紙幣は表裏反転部２２から搬送部１５により入金リジェクト部２６に送られる。ここで、入金部１４に投入されたバラ紙幣が全て筐体１２内に繰り出されると、入金リジェクト部２６に設けられたシャッター２６ａが開かれるようになり、操作者は入金リジェクト部２６に集積されたリジェクト紙幣を手動で取り出し、入金部１４に再投入等することができるようになる。
【００６５】
一方、識別部２０により正常な紙幣であると識別されたバラ紙幣は、表裏反転部２２から搬送部１５により入金一時保留部３０に送られ、この入金一時保留部３０で一時的に保留されるようになる。なお、この際にセパレータ９３は図２において実線で示すような退避位置に退避しており、ステージ９０上にバラ紙幣が集積されるようになる。そして、入金部１４に投入されたバラ紙幣が全て筐体１２内に繰り出されて入金一時保留部３０または入金リジェクト部２６に送られると、操作表示部８２には操作者に対して入金確定の指令を促すメッセージが表示される。操作表示部８２に表示される当該メッセージを見た操作者が操作表示部８２により入金確定の指令を入力すると、入金一時保留部３０から紙幣繰出繰入機構３０ａによりバラ紙幣が１枚ずつ搬送部１５に繰り出され、当該搬送部１５により一括バラ紙幣収納庫３２または各金種別バラ紙幣収納庫３４に送られる。より詳細には、入金一時保留部３０から搬送部１５に繰り出されたバラ紙幣は、識別部２０により識別され、表裏反転部２２によりその表裏が揃うよう整えられた後に、対応する金種の各金種別バラ紙幣収納庫３４に送られるが、対応する金種の金種別バラ紙幣収納庫３４がフル状態またはニアフル状態である場合には当該バラ紙幣はオーバーフロー紙幣として一括バラ紙幣収納庫３２に送られるようになる。そして、入金一時保留部３０からバラ紙幣が全て搬送部１５に繰り出されて各金種別バラ紙幣収納庫３４や一括バラ紙幣収納庫３２に送られると、紙幣処理装置２におけるバラ紙幣の入金処理に係る一連の動作が完了する。
【００６６】
また、本実施の形態の紙幣処理装置２では、セパレータ９３により入金一時保留部３０の内部を２つの紙幣収納領域に区分けることができるようになっているため、ある取引に関するバラ紙幣の入金処理を行っている最中に、別の取引に関するバラ紙幣の割り込み入金処理を行うことができるようになる。このような割り込み入金処理を行うにあたり、制御部８０において入金一時保留部３０の内部をセパレータ９３により２つの紙幣収納領域に区分けるか否かの判断が行われる。すなわち、最初に行われていたバラ紙幣の入金処理において入金一時保留部３０に一時的に保留されるバラ紙幣の枚数が比較的少なく、このバラ紙幣の入金処理を先に終わらせた方が最初の入金処理および割り込み入金処理の合計処理時間が短くなると制御部８０において判断された場合には、割り込み入金処理において入金部１４に投入されたバラ紙幣を筐体１２の内部に繰り出す前に入金一時保留部３０に保留されている最初の入金処理に係るバラ紙幣をこの入金一時保留部３０から搬送部１５に１枚ずつ繰り出し、識別部２０により識別させた後に各金種別バラ紙幣収納庫３４に収納させるようにする。そして、最初の入金処理に係るバラ紙幣が入金一時保留部３０から全て各金種別バラ紙幣収納庫３４に送られると、割り込み入金処理において入金部１４に投入されたバラ紙幣を筐体１２の内部に繰り出し、識別部２０により識別させた後に入金一時保留部３０に保留されるようにする。
【００６７】
一方、最初に行われていたバラ紙幣の入金処理において入金一時保留部３０に一時的に保留されるバラ紙幣の枚数が比較的多く、割り込み入金処理を先に終わらせた方が最初の入金処理および割り込み入金処理の合計処理時間が短くなると制御部８０において判断された場合には、入金一時保留部３０においてステージ９０が下降して検知板９０ａが上側の検知センサ９２ａにより検知されることによってロック部によるセパレータ９３のロックが解除され、当該セパレータ９３が図２において二点鎖線で示すような退避位置から図２において実線で示すような区分け位置に移動する。このことにより、入金一時保留部３０の内部が２つの紙幣収納領域（すなわち、上述したような下側の第１紙幣収納領域および上側の第２紙幣収納領域）に区分けされる。ここで、第１紙幣収納領域（具体的には、ステージ９０とセパレータ９３との間にある紙幣収納領域）には、最初の入金処理に係るバラ紙幣が収納されている。一方、第２紙幣収納領域（具体的には、セパレータ９３と紙幣繰出繰入機構３０ａとの間にある紙幣収納領域）には、割り込み入金処理において入金部１４から筐体１２の内部に繰り出されて識別部２０により識別された後に入金一時保留部３０に送られたバラ紙幣が収納されるようになる。また、続行していた最初の入金処理が一時的に中断された後、入金一時保留部３０の内部がセパレータ９３により２つの紙幣収納空間に区分けされ、割り込み入金処理が行われるようになる。そして、割り込み入金処理においてセパレータ９３と紙幣繰出繰入機構３０ａとの間にある第２紙幣収納領域に収納されたバラ紙幣が全て入金一時保留部３０から搬送部１５に繰り出されて識別部２０により識別された後に各金種別バラ紙幣収納庫３４に収納されると、セパレータ９３は退避位置に移動し、当該セパレータ９３がロック部によりロックされることにより、最初の入金処理が再開されるようになる。
【００６８】
また、本実施の形態では、ある取引に関するバラ紙幣の入金処理を行っている最中に、この入金処理において入金一時保留部３０に一時的に保留されるバラ紙幣の枚数が比較的多く、割り込み入金処理を先に終わらせた方が最初の入金処理および割り込み入金処理の合計処理時間が短くなると制御部８０において判断された場合にのみ、操作表示部８２に割り込み入金処理ボタンを表示させるようにしてもよい。具体的には、搬送部１５の搬送路上にあるバラ紙幣を各金種別バラ紙幣収納庫３４に送る時間およびセパレータ９３が退避位置から区分け位置まで移動する時間の合計時間が、最初の入金処理に係るバラ紙幣を入金一時保留部３０から繰り出して識別部２０により識別させた後に各金種別バラ紙幣収納庫３４に送る時間よりも短いと制御部８０において判断された場合においてのみ、操作表示部８２に割り込み入金処理ボタンが表示され、操作者はこの割り込み入金処理ボタンを押下することにより上記の割り込み入金処理を行うことができるようになっている。
【００６９】
また、本実施の形態では、バラ紙幣の入金処理を行う際に、筐体１２に設けられた前扉１２ａを開き（具体的には、外扉部分１２ｂおよび内扉部分１２ｃを一体的に開き）、入金一時保留部３０にバラ紙幣を直接投入してもよい。この際に、セパレータ９３は図７に示すような退避位置に位置しており、入金一時保留部３０におけるステージ９０上にバラ紙幣が投入されるようになる。このような前扉１２ａを開けて入金一時保留部３０にバラ紙幣を直接投入するような入金処理について図１７に示すバラ紙幣の流れ図を用いて説明する。
【００７０】
操作者が前扉１２ａを開けて入金一時保留部３０にバラ紙幣を投入した後、操作表示部８２により入金処理開始の指令を入力すると、入金一時保留部３０に投入されたバラ紙幣が紙幣繰出繰入機構３０ａにより１枚ずつ搬送部１５に繰り出される。そして、入金一時保留部３０から搬送部１５に繰り出されたバラ紙幣は、識別部２０により識別され、表裏反転部２２によりその表裏が揃うよう整えられた後に、対応する金種の各金種別バラ紙幣収納庫３４に送られる。なお、識別部２０により識別されたバラ紙幣の金種に対応する金種別バラ紙幣収納庫３４がフル状態またはニアフル状態である場合には当該バラ紙幣はオーバーフロー紙幣として一括バラ紙幣収納庫３２に送られるようになる。そして、入金一時保留部３０からバラ紙幣が全て搬送部１５に繰り出されて各金種別バラ紙幣収納庫３４や一括バラ紙幣収納庫３２に送られると、紙幣処理装置２におけるバラ紙幣の入金処理に係る一連の動作が完了する。なお、このようなバラ紙幣の入金処理を行う際に、操作者は入金一時保留部３０にバラ紙幣を直接投入した後、前扉１２ａを閉めることにより離席することが可能となる。
【００７１】
本実施の形態では、入金部１４に入金することができるバラ紙幣の枚数よりも、入金一時保留部３０で一時的に保留することができるバラ紙幣の枚数が多いため、大量のバラ紙幣の入金処理を行う場合には、筐体１２に設けられた前扉１２ａを開き、入金一時保留部３０にバラ紙幣を直接投入することにより、入金部１４にバラ紙幣を何度も投入するという手間を省くことができるようになるため、バラ紙幣の入金処理を行う際の利便性を向上させることができる。
【００７２】
また、本実施の形態では、前扉１２ａが開けられて入金一時保留部３０に直接投入されたバラ紙幣を筐体１２の内部に繰り出して識別部２０により識別した後に各金種別バラ紙幣収納庫３４に収納させるような入金処理が行われる最中に、入金部１４に投入されたバラ紙幣を筐体１２の内部に繰り出して各金種別バラ紙幣収納庫３４に収納させるような割り込み入金処理を行うことができるようになっている。このような割り込み入金処理が行われる際には、入金一時保留部３０においてロック部によるセパレータ９３のロックが解除され、当該セパレータ９３が図２において二点鎖線で示すような退避位置から図２において実線で示すような区分け位置に移動する。このことにより、入金一時保留部３０の内部が２つの紙幣収納領域に区分けされる。ここで、下側の第１紙幣収納領域には、前扉１２ａが開けられて入金一時保留部３０に直接投入されたバラ紙幣が収納されている。一方、上側の第２紙幣収納領域には、割り込み入金処理において入金部１４から筐体１２の内部に繰り出されて識別部２０により識別された後に入金一時保留部３０に送られたバラ紙幣が収納されるようになる。また、続行していた最初の入金処理が一時的に中断された後、入金一時保留部３０の内部がセパレータ９３により２つの紙幣収納空間に区分けされ、割り込み入金処理が行われるようになる。そして、割り込み入金処理においてセパレータ９３と紙幣繰出繰入機構３０ａとの間にある第２紙幣収納領域に収納されたバラ紙幣が全て入金一時保留部３０から搬送部１５に繰り出されて識別部２０により識別された後に各金種別バラ紙幣収納庫３４に収納されると、セパレータ９３は退避位置に移動し、当該セパレータ９３がロック部によりロックされることにより、前扉１２ａが開けられて入金一時保留部３０に直接投入されたバラ紙幣の入金処理が再開されるようになる。
【００７３】
また、本実施の形態では、入金部１４に投入されたバラ紙幣を筐体１２の内部に繰り出して識別部２０により識別した後に入金一時保留部３０に一時的に保留させるような入金処理が行われる最中に、前扉１２ａが開けられて入金一時保留部３０に直接投入されたバラ紙幣を筐体１２の内部に繰り出して識別部２０により識別した後に各金種別バラ紙幣収納庫３４に収納させるような割り込み入金処理を行うことができるようになっている。このような割り込み入金処理が行われる際には、入金一時保留部３０においてセパレータ９３のロックが解除され、当該セパレータ９３が図２において二点鎖線で示すような退避位置から図２において実線で示すような区分け位置に移動する。このことにより、入金一時保留部３０の内部が２つの紙幣収納領域に区分けされる。ここで、下側の第１紙幣収納領域には、入金部１４から筐体１２の内部に繰り出されて識別部２０により識別された後に入金一時保留部３０に送られたバラ紙幣が収納されている。また、操作者は割り込み入金処理を行う際に前扉１２ａを開けた後、上側の第２紙幣収納領域にバラ紙幣を直接投入するようになる。また、続行していた最初の入金処理が一時的に中断された後、入金一時保留部３０の内部がセパレータ９３により２つの紙幣収納空間に区分けされ、割り込み入金処理が行われるようになる。そして、割り込み入金処理においてセパレータ９３と紙幣繰出繰入機構３０ａとの間にある第２紙幣収納領域に直接投入されたバラ紙幣が全て入金一時保留部３０から搬送部１５に繰り出されて識別部２０により識別された後に各金種別バラ紙幣収納庫３４に収納されると、セパレータ９３は退避位置に移動し、当該セパレータ９３がロック部によりロックされることにより、入金部１４から筐体１２の内部に繰り出されて識別部２０により識別された後に入金一時保留部３０に送られたバラ紙幣の入金処理が再開されるようになる。
【００７４】
次に、紙幣処理装置２においてバラ紙幣の出金処理を行う際の動作について説明する。本実施の形態による紙幣処理装置２が待機状態となっているときに、出金すべきバラ紙幣の金種毎の枚数や合計金額等に係る情報を含むバラ紙幣の出金処理開始の指令を操作者が操作表示部８２により制御部８０に入力したり上位端末等の外部装置から通信インターフェース部８８を介して制御部８０に上記のバラ紙幣の出金処理開始の指令が送信されたりすると、出金すべき金種のバラ紙幣が各金種別バラ紙幣収納庫３４から１枚ずつ紙幣繰出繰入機構３４ａにより搬送部１５に繰り出される。そして、搬送部１５に繰り出されたバラ紙幣は当該搬送部１５により１枚ずつ搬送され、識別部２０によりその金種、表裏、搬送状態等が識別される。また、識別部２０により識別されたバラ紙幣は表裏反転部２２によりその表裏が揃うよう整えられる。
【００７５】
識別部２０により識別されたバラ紙幣が、バラ紙幣出金部１６により出金することができると判断された紙幣である場合には、当該バラ紙幣はバラ紙幣出金部１６に送られる。具体的には、バラ紙幣出金部１６により出金することができると判断された紙幣は、識別部２０から搬送部１５により上下の整理一時保留部４０のうち一方の整理一時保留部４０に送られ、当該整理一時保留部４０に集積される。そして、整理一時保留部４０に集積されたバラ紙幣の枚数が出金すべき枚数に達すると、整理一時保留部４０に集積されたバラ紙幣の束が第１アーム機構４１により当該整理一時保留部４０から取り出される。その後、第１アーム機構４１が図２に示す位置から上昇して第２アーム機構４２に対向する位置まで移動することにより、整理一時保留部４０から取り出された紙幣の束は第１アーム機構４１から第２アーム機構４２に受け渡され、当該第２アーム機構４２により紙幣の束がバラ紙幣出金部１６に送られる。ここで、バラ紙幣の出金処理が行われる際には、ステージ１８は図２に示すように帯封紙幣出金部１７の底面近傍に位置するようになり、第２アーム機構４２からバラ紙幣出金部１６に送られたバラ紙幣は当該バラ紙幣出金部１６に集積されるようになる。そして、出金されるべきバラ紙幣が全てバラ紙幣出金部１６に送られると、このバラ紙幣出金部１６に設けられたシャッター１６ａが開くことにより、操作者はバラ紙幣出金部１６からバラ紙幣を取り出すことができるようになる。なお、識別部２０により識別されたバラ紙幣が、バラ紙幣出金部１６により出金することができると判断された紙幣ではない場合には、当該バラ紙幣は出金リジェクト部２４に送られてこの出金リジェクト部２４に集積されるようになる。
【００７６】
また、本実施の形態では、各金種別バラ紙幣収納庫３４から搬送部１５に繰り出されたバラ紙幣を入金一時保留部３０に送り、筐体１２に設けられた前扉１２ａを開くことにより入金一時保留部３０に収納されたバラ紙幣を筐体１２の外部に取り出し可能とするようなバラ紙幣の出金処理を行うことができるようになっている。この際に、セパレータ９３は図７に示すような退避位置に位置しており、入金一時保留部３０におけるステージ９０上に出金すべきバラ紙幣が収納されるようになる。このような前扉１２ａを開けて入金一時保留部３０から出金すべきバラ紙幣を取り出すような出金処理について図１８に示すバラ紙幣の流れ図を用いて説明する。
【００７７】
図１８に示すように、出金すべき金種のバラ紙幣が各金種別バラ紙幣収納庫３４から１枚ずつ紙幣繰出繰入機構３４ａにより搬送部１５に繰り出されると、このバラ紙幣は搬送部１５により１枚ずつ搬送され、識別部２０によりその金種、表裏、搬送状態等が識別される。また、識別部２０により識別されたバラ紙幣は表裏反転部２２によりその表裏が揃うよう整えられる。その後、当該バラ紙幣は搬送部１５により入金一時保留部３０に送られ、この入金一時保留部３０のステージ９０上に集積される。そして、出金すべきバラ紙幣が全て各金種別バラ紙幣収納庫３４から入金一時保留部３０に送られると、操作者は筐体１２の前扉１２ａを開くことによりこの入金一時保留部３０から出金すべきバラ紙幣を取り出すことができるようになる。なお、図１８に示すように、各金種別バラ紙幣収納庫３４からバラ紙幣が入金一時保留部３０に送られる際に、当該バラ紙幣は搬送部１５のループ形状部分を一周し、識別部２０を通る前のバラ紙幣の搬送経路と識別部２０を通った後のバラ紙幣の搬送経路が重複するため、金種別バラ紙幣収納庫３４からある１枚のバラ紙幣が搬送部１５に繰り出されて識別部２０を通過して入金一時保留部３０に送られた後に、次のバラ紙幣が金種別バラ紙幣収納庫３４から搬送部１５に繰り出されるようになる。
【００７８】
このように、本実施の形態の紙幣処理装置２では、各金種別バラ紙幣収納庫３４から繰り出されたバラ紙幣を入金一時保留部３０に収納させるような出金処理を行うことができるため、通常のバラ紙幣の出金処理における出金経路で故障が発生した場合でも（具体的には、例えば第１アーム機構４１や第２アーム機構４２が故障した場合でも）、入金一時保留部３０を用いてバラ紙幣の出金処理を行うことができるようになる。また、大量のバラ紙幣の出金処理を行う場合には、第１アーム機構４１や第２アーム機構４２によって整理一時保留部４０からバラ紙幣出金部１６にバラ紙幣を何度も搬送する必要がなくなるため、バラ紙幣の出金処理にかかる時間を短縮することができるようになる。
【００７９】
また、本実施の形態では、入金部１４に投入されたバラ紙幣を筐体１２の内部に繰り出して識別部２０により識別した後に入金一時保留部３０に一時的に保留させるような入金処理が行われる最中に、各金種別バラ紙幣収納庫３４から繰り出されたバラ紙幣を入金一時保留部３０に収納させるような割り込み出金処理を行うことができるようになっている。このような割り込み出金処理が行われる際には、入金一時保留部３０においてセパレータ９３のロックが解除され、当該セパレータ９３が図２において二点鎖線で示すような退避位置から図２において実線で示すような区分け位置に移動する。このことにより、入金一時保留部３０の内部が２つの紙幣収納領域に区分けされる。ここで、下側の第１紙幣収納領域には、入金部１４から筐体１２の内部に繰り出されて識別部２０により識別された後に入金一時保留部３０に送られたバラ紙幣が収納されている。また、上側の第２紙幣収納領域には、各金種別バラ紙幣収納庫３４から繰り出されて識別部２０により識別された後に入金一時保留部３０に送られた、割り込み出金すべきバラ紙幣を収納させることができるようになる。また、続行していた最初の入金処理が一時的に中断された後、入金一時保留部３０の内部がセパレータ９３により２つの紙幣収納空間に区分けされ、割り込み出金処理が行われるようになる。そして、出金すべきバラ紙幣が全て各金種別バラ紙幣収納庫３４から入金一時保留部３０に送られて、操作者によって筐体１２の前扉１２ａが開かれてこの入金一時保留部３０から出金すべきバラ紙幣が取り出されると、セパレータ９３は退避位置に移動し、当該セパレータ９３がロック部によりロックされることにより、入金部１４から筐体１２の内部に繰り出されて識別部２０により識別された後に入金一時保留部３０に送られたバラ紙幣の入金処理が再開されるようになる。
【００８０】
また、本実施の形態では、各金種別バラ紙幣収納庫３４から繰り出されたバラ紙幣を入金一時保留部３０に収納させ、筐体１２に設けられた前扉１２ａを開くことにより筐体１２の外部に取り出し可能とするような出金処理が行われる最中に、入金部１４に投入されたバラ紙幣を筐体１２の内部に繰り出して識別部２０により識別した後に入金一時保留部３０に一時的に保留させるような割り込み入金処理を行うことができるようになっている。このような割り込み入金処理が行われる際には、入金一時保留部３０においてセパレータ９３のロックが解除され、当該セパレータ９３が図２において二点鎖線で示すような退避位置から図２において実線で示すような区分け位置に移動する。このことにより、入金一時保留部３０の内部が２つの紙幣収納領域に区分けされる。ここで、下側の第１紙幣収納領域には、各金種別バラ紙幣収納庫３４から繰り出されて識別部２０により識別された後に入金一時保留部３０に送られた出金すべきバラ紙幣が収納されている。また、上側の第２紙幣収納領域には、入金部１４から筐体１２の内部に繰り出されて識別部２０により識別された後に入金一時保留部３０に送られた、割り込み入金すべきバラ紙幣を収納させることができるようになる。また、続行していた最初の出金処理が一時的に中断された後、入金一時保留部３０の内部がセパレータ９３により２つの紙幣収納空間に区分けされ、割り込み入金処理が行われるようになる。そして、割り込み入金処理において入金部１４から筐体１２の内部に繰り出されて識別部２０により識別された後に入金一時保留部３０に送られたバラ紙幣が入金一時保留部３０から搬送部１５に繰り出されて識別部２０により識別された後に各金種別バラ紙幣収納庫３４に収納されると、セパレータ９３は退避位置に移動し、当該セパレータ９３がロック部によりロックされることにより、各金種別バラ紙幣収納庫３４から繰り出されたバラ紙幣を入金一時保留部３０に収納させるような出金処理が再開されるようになる。
【００８１】
また、本実施の形態では、入金部１４により筐体１２の内部に投入されたバラ紙幣を識別部２０により識別した後に入金一時保留部３０に収納させ、筐体１２に設けられた前扉１２ａを開くことにより筐体１２の外部に取り出し可能とするような計数処理を行うことができるようになっている。この際に、セパレータ９３は図７に示すような退避位置に位置しており、識別部２０により識別されたバラ紙幣は入金一時保留部３０におけるステージ９０上に収納されるようになる。このような入金部１４により筐体１２の内部に投入されたバラ紙幣を識別部２０により識別した後に入金一時保留部３０に収納させる計数処理について図１９に示すバラ紙幣の流れ図を用いて説明する。
【００８２】
本実施の形態の紙幣処理装置２によりバラ紙幣の計数処理を行うにあたり、計数されるべきバラ紙幣を入金部１４に投入すると、図１９に示すように、入金部１４に投入されたバラ紙幣は紙幣繰出機構１４ｃにより１枚ずつ筐体１２内に繰り出され、搬送部１５により１枚ずつ搬送される。そして、搬送部１５により搬送されるバラ紙幣は識別部２０により識別される。また、識別部２０により識別されたバラ紙幣は表裏反転部２２によりその表裏が整えられる。その後、このバラ紙幣は搬送部１５により入金一時保留部３０に送られ、この入金一時保留部３０のステージ９０上に集積されるようになる。そして、計数されるべきバラ紙幣が全て入金部１４から筐体１２内に繰り出され、識別部２０により識別された後に入金一時保留部３０に送られると、操作者は筐体１２の前扉１２ａを開くことによりこの入金一時保留部３０から計数済のバラ紙幣を取り出すことができるようになる。
【００８３】
また、本実施の形態では、入金部１４に投入されたバラ紙幣を筐体１２の内部に繰り出して識別部２０により識別した後に入金一時保留部３０に一時的に保留させるような入金処理が行われる最中に、入金部１４に投入されたバラ紙幣を筐体１２の内部に繰り出して識別部２０により識別した後に入金一時保留部３０に収納させるような割り込み計数処理を行うことができるようになっている。このような割り込み計数処理が行われる際には、入金一時保留部３０においてセパレータ９３のロックが解除され、当該セパレータ９３が図２において二点鎖線で示すような退避位置から図２において実線で示すような区分け位置に移動する。このことにより、入金一時保留部３０の内部が２つの紙幣収納領域に区分けされる。ここで、下側の第１紙幣収納領域には、入金部１４から筐体１２の内部に繰り出されて識別部２０により識別された後に入金一時保留部３０に送られたバラ紙幣が収納されている。また、上側の第２紙幣収納領域には、入金部１４から筐体１２の内部に繰り出されて識別部２０により識別された後に入金一時保留部３０に送られた計数済のバラ紙幣を収納させることができるようになる。また、続行していた最初の入金処理が一時的に中断された後、入金一時保留部３０の内部がセパレータ９３により２つの紙幣収納空間に区分けされ、割り込み計数処理が行われるようになる。そして、計数されるべきバラ紙幣が全て入金部１４から入金一時保留部３０に送られて、操作者によって筐体１２の前扉１２ａが開かれてこの入金一時保留部３０から計数済のバラ紙幣が取り出されると、セパレータ９３は退避位置に移動し、当該セパレータ９３がロック部によりロックされることにより、入金部１４から筐体１２の内部に繰り出されて識別部２０により識別された後に入金一時保留部３０に送られたバラ紙幣の入金処理が再開されるようになる。
【００８４】
また、本実施の形態の紙幣処理装置２では、セパレータ９３により入金一時保留部３０の内部を２つの紙幣収納領域に区分けることができるようになっているため、セパレータ９３によって区分けされた下側の第１紙幣収納領域に損券やオーバーフロー紙幣を収納させることができるようになる。第１紙幣収納領域に損券が収納される場合には、入金処理において、入金部１４より入金されたが識別部２０によりリジェクトされるものとして入金リジェクト部２６に送られたバラ紙幣を取り出して再び入金部１４より入金してもやはり識別部２０によりリジェクトされるものと判定されたバラ紙幣を（すなわち、識別部２０によりリジェクトされるものと二回判定されたバラ紙幣を）、入金一時保留部３０のステージ９０上に集積し、その後、セパレータ９３で入金一時保留部３０を上下に区分けるようになる。また、第１紙幣収納領域に損券やオーバーフロー紙幣が収納される場合には、バラ紙幣の入金処理において入金一時保留部３０に一時的に保留されるべきバラ紙幣は上側の第２紙幣収納領域に収納されるようになる。また、このような運用が行われる場合には、セパレータ９３は入金一時保留部３０の内部における下部領域まで移動することができるようになっていることが好ましい。
【００８５】
また、本実施の形態の紙幣処理装置２では、セパレータ９３により入金一時保留部３０の内部を２つの紙幣収納領域に区分けることができるようになっているため、セパレータ９３によって区分けされた下側の第１紙幣収納領域に、出金枚数が多いと見込まれる金種のバラ紙幣を予め収納させておくことができる。この場合には、バラ紙幣の出金処理が行われる際に、出金すべきバラ紙幣が収納された金種別バラ紙幣収納庫３４が空状態になりそうになったら、入金一時保留部３０の第１紙幣収納領域に収納されている予備のバラ紙幣を当該入金一時保留部３０から搬送部１５に繰り出して各金種別バラ紙幣収納庫３４に補充したり、整理一時保留部４０に搬送してバラ紙幣出金部１６に送ったりするようになる。また、入金一時保留部３０の第１紙幣収納領域に収納されている予備のバラ紙幣が使用されなかった場合には、筐体１２の前扉１２ａを開けることにより入金一時保留部３０からこの予備のバラ紙幣を回収して他の金庫等に保管したり、入金部１４に投入することによって各金種別バラ紙幣収納庫３４に収納させたりするようにする。なお、このような運用が行われる場合にも、バラ紙幣の入金処理において入金一時保留部３０に一時的に保留されるべきバラ紙幣は上側の第２紙幣収納領域に収納されるようになる。
【００８６】
また、更に別の運用例では、入金一時保留部３０においてセパレータ９３によって区分けされた下側の第１紙幣収納領域に、使用頻度が低い金種のバラ紙幣（例えば、二千円紙幣）を予め収納させておくことができる。この場合には、バラ紙幣の出金処理が行われる際にこの使用頻度が低い金種のバラ紙幣を出金させる必要が生じたときに、入金一時保留部３０の第１紙幣収納領域に収納されているバラ紙幣を当該入金一時保留部３０から搬送部１５に繰り出して整理一時保留部４０に搬送することによりバラ紙幣出金部１６に送ることができるようになる。このように、入金一時保留部３０においてセパレータ９３によって区分けされた下側の第１紙幣収納領域を、金種別バラ紙幣収納庫として用いることもできる。なお、このような運用が行われる場合にも、バラ紙幣の入金処理において入金一時保留部３０に一時的に保留されるべきバラ紙幣は上側の第２紙幣収納領域に収納されるようになる。
【００８７】
以上のような構成からなる本実施の形態の紙幣処理装置２によれば、入金一時保留部３０には、当該入金一時保留部３０の内部を複数の紙幣収納領域に区分けることができるセパレータ９３（区分け部材）が設けられているとともに、筐体１２に設けられた前扉１２ａを開けることにより入金一時保留部３０にアクセス可能となっているため、複数の紙幣収納領域に区分け可能な入金一時保留部３０に容易にアクセス可能となることにより当該入金一時保留部３０を様々な用途に使用することができるようになり、入金一時保留部３０を有効活用することができるようになる。
【００８８】
また、本実施の形態の紙幣処理装置２においては、上述したように、セパレータ９３は、入金一時保留部３０の内部を複数の紙幣収納領域に区分ける区分け位置（図２における実線を参照）と、入金一時保留部３０の内部を１つの紙幣収納領域とする退避位置（図２における二点鎖線を参照）との間で移動自在となっている。
【００８９】
また、本実施の形態の紙幣処理装置２においては、上述したように、筐体１２に設けられた前扉１２ａは多重の扉部分（具体的には、外扉部分１２ｂおよび内扉部分１２ｃ）から構成されており、前扉１２ａにおける全ての扉部分を開くと入金一時保留部３０におけるセパレータ９３により区分けされた全ての紙幣収納領域（すなわち、下側の第１紙幣収納領域および上側の第２紙幣収納領域）にアクセス可能となっている。一方、前扉１２ａにおける一部の扉部分（具体的には、外扉部分１２ｂ）のみを開いたときには入金一時保留部３０におけるセパレータ９３により区分けされた複数の紙幣収納領域のうち一部の紙幣収納領域（具体的には、上側の第２紙幣収納領域）のみにアクセス可能となる。この場合、前扉１２ａにおける内扉部分１２ｃは外扉部分１２ｂにロック可能となっており、内扉部分１２ｃが外扉部分１２ｂにロックされるとこれらの内扉部分１２ｃおよび外扉部分１２ｂは一体的に筐体１２から開閉されるようになる。一方、前扉１２ａにおける内扉部分１２ｃは筐体１２にもロック可能となっており、内扉部分１２ｃが筐体１２にロックされると複数の紙幣収納領域のうち一部の紙幣収納領域（具体的には、上側の第２紙幣収納領域）のみにアクセス可能となる。このような技術的事項によれば、セパレータ９３により区分けされた複数の紙幣収納領域からバラ紙幣を取り出したり当該紙幣収納領域にバラ紙幣を投入したりする際に、セパレータ９３により区分けされた全ての紙幣収納領域へのアクセスおよびセパレータ９３により区分けされた複数の紙幣収納領域のうち一部の紙幣収納領域のみへのアクセスを、外扉部分１２ｂを開けるという同一の動作で行うことができるようになり、操作者にとっての利便性を向上させることができる。
【００９０】
また、本実施の形態の紙幣処理装置２においては、上述したように、前扉１２ａが開けられて入金一時保留部３０に直接投入されたバラ紙幣を筐体１２の内部に繰り出して識別部２０により識別した後に各金種別バラ紙幣収納庫３４に収納させるような入金処理を行うことができるようになっている。ここで、入金部１４に入金することができるバラ紙幣の枚数よりも、入金一時保留部３０で一時的に保留することができるバラ紙幣の枚数が多いことにより、大量のバラ紙幣の入金処理を行う場合には、筐体１２に設けられた前扉１２ａを開き、入金一時保留部３０にバラ紙幣を直接投入することにより、入金部１４にバラ紙幣を何度も投入するという手間を省くことができるようになるため、バラ紙幣の入金処理を行う際の利便性を向上させることができる。また、入金一時保留部３０に直接投入されたバラ紙幣を筐体１２の内部に繰り出して識別部２０により識別した後に各金種別バラ紙幣収納庫３４に収納させるような入金処理が行われる際に、セパレータ９３は、入金一時保留部３０の内部を１つの紙幣収納領域とする退避位置に位置するようになっている。
【００９１】
また、入金一時保留部３０の内部を複数の紙幣収納領域に区分けることができるセパレータ９３が設けられているため、このようなセパレータ９３によって入金一時保留部３０の内部を複数の紙幣収納領域に区分けることにより、前扉１２ａが開けられて入金一時保留部３０に直接投入されたバラ紙幣を筐体１２の内部に繰り出して識別部２０により識別した後に各金種別バラ紙幣収納庫３４に収納させるような入金処理が行われる最中に、入金部１４に投入されたバラ紙幣を筐体１２の内部に繰り出して各金種別バラ紙幣収納庫３４に収納させるような割り込み入金処理を行うことができる。また、セパレータ９３によって入金一時保留部３０の内部を複数の紙幣収納領域に区分けることにより、入金部１４に投入されたバラ紙幣を筐体１２の内部に繰り出して識別部２０により識別した後に入金一時保留部３０に一時的に保留させるような入金処理が行われる最中に、前扉１２ａが開けられて入金一時保留部３０に直接投入されたバラ紙幣を筐体１２の内部に繰り出して識別部２０により識別した後に各金種別バラ紙幣収納庫３４に収納させるような割り込み入金処理を行うことができる。
【００９２】
また、本実施の形態の紙幣処理装置２においては、上述したように、各金種別バラ紙幣収納庫３４から繰り出されたバラ紙幣を入金一時保留部３０に収納させ、筐体１２に設けられた前扉１２ａを開くことにより筐体１２の外部に取り出し可能とするような出金処理を行うことができるようになっている。この場合には、通常のバラ紙幣の出金処理における出金経路で故障が発生した場合でも（具体的には、例えば第１アーム機構４１や第２アーム機構４２が故障した場合でも）、入金一時保留部３０を用いてバラ紙幣の出金処理を行うことができるようになる。また、大量のバラ紙幣の出金処理を行う場合には、第１アーム機構４１や第２アーム機構４２により整理一時保留部４０からバラ紙幣出金部１６にバラ紙幣を何度も搬送する必要がなくなるため、バラ紙幣の出金処理にかかる時間を短縮することができるようになる。
【００９３】
また、セパレータ９３によって入金一時保留部３０の内部を複数の紙幣収納領域に区分けることにより、入金部１４に投入されたバラ紙幣を筐体１２の内部に繰り出して識別部２０により識別した後に入金一時保留部３０に一時的に保留させるような入金処理が行われる最中に、各金種別バラ紙幣収納庫３４から繰り出されたバラ紙幣を入金一時保留部３０に収納させるような割り込み出金処理を行うことができる。また、セパレータ９３によって入金一時保留部３０の内部を複数の紙幣収納領域に区分けることにより、各金種別バラ紙幣収納庫３４から繰り出されたバラ紙幣を入金一時保留部３０に収納させ、筐体１２に設けられた前扉１２ａを開くことにより筐体１２の外部に取り出し可能とするような出金処理が行われる最中に、入金部１４に投入されたバラ紙幣を筐体１２の内部に繰り出して識別部２０により識別した後に入金一時保留部３０に一時的に保留させるような割り込み入金処理を行うことができる。
【００９４】
また、本実施の形態の紙幣処理装置２においては、上述したように、入金部１４により筐体１２の内部に投入されたバラ紙幣を識別部２０により識別した後に入金一時保留部３０に収納させ、筐体１２に設けられた前扉１２ａを開くことにより筐体１２の外部に取り出し可能とするような計数処理を行うことができるようになっている。また、セパレータ９３によって入金一時保留部３０の内部を複数の紙幣収納領域に区分けることにより、入金部１４に投入されたバラ紙幣を筐体１２の内部に繰り出して識別部２０により識別した後に入金一時保留部３０に一時的に保留させるような入金処理が行われる最中に、割り込み計数処理を行うことができるようになっている。
【００９５】
なお、本実施の形態による紙幣処理装置２は、上述したような態様に限定されることはなく、様々な変更を加えることができる。
【００９６】
例えば、セパレータ９３は、図７等に示すような上側セパレータ部分９４および下側セパレータ部分９６から構成されるものに限定されることはない。セパレータ９３として、入金一時保留部３０の内部を複数の紙幣収納領域に区分けることができるものであれば、他の様々な構成のものを用いることができる。
【００９７】
また、筐体１２に設けられた前扉１２ａは、図４等に示すような外扉部分１２ｂおよび内扉部分１２ｃからなる二重の扉部分から構成されるものに限定されることはない。前扉１２ａとして、筐体１２から開くことにより入金一時保留部３０にアクセスすることができるものであれば、一重の扉等、他の様々な構成のものを用いることができる。
【００９８】
また、本実施の形態に係る紙幣処理装置２では、複数のセパレータ等の区分け部材により、入金一時保留部３０の内部を３つ以上の紙幣収納領域に区分けすることができるようになっていてもよい。
【符号の説明】
【００９９】
１      貨幣処理機
２      紙幣処理装置
３      硬貨処理装置
１２    筐体
１２ａ  前扉
１２ｂ  外扉部分
１２ｃ  内扉部分
１３    引出ユニット
１４    入金部
１４ａ  シャッター
１４ｂ  シャッター駆動部
１４ｃ  紙幣繰出機構
１５    搬送部
１６    バラ紙幣出金部
１６ａ  シャッター
１６ｂ  シャッター駆動部
１７    帯封紙幣出金部
１８    ステージ
１９    分離部材
２０    識別部
２２    表裏反転部
２４    出金リジェクト部
２４ａ  シャッター
２４ｂ  シャッター駆動部
２６    入金リジェクト部
２６ａ  シャッター
２６ｂ  シャッター駆動部
３０    入金一時保留部
３０ａ  紙幣繰出繰入機構
３０ｂ  フィードローラ
３０ｃ  キッカローラ
３０ｄ  ゲートローラ
３０ｅ  検知板
３０ｐ、３０ｑ  紙幣収納空間
３１    検知センサ
３２    一括バラ紙幣収納庫
３２ａ  紙幣繰出繰入機構
３４    金種別バラ紙幣収納庫
３４ａ  紙幣繰出繰入機構
４０    整理一時保留部
４１    第１アーム機構
４２    第２アーム機構
５０    帯封機構
６０    帯封紙幣搬送部
６０ａ  突起
６０ｂ  循環ベルト
６２    判別部
７０    一括帯封紙幣収納庫
７０ａ  ステージ
７２    金種別帯封紙幣収納庫
７２ａ  ステージ
８０    制御部
８２    操作表示部
８４    記憶部
８６    印字部
８８    通信インターフェース部
９０    ステージ
９０ａ  検知板
９１    駆動部
９１ａ  駆動モータ
９１ｂ  循環ベルト
９２ａ、９２ｂ  検知センサ
９３    セパレータ
９４    上側セパレータ部分
９４ａ  検知板
９５ａ、９５ｂ、９５ｃ  検知センサ
９６    下側セパレータ部分
９７    パンタグラフ機構
９７ａ〜９７ｄ  軸
９８    アクチュエータ
９９    案内部材
【図１】
2019200808.tif 000003
【図２】
2019200808.tif 000004
【図３】
2019200808.tif 000005
【図４】
2019200808.tif 000006
【図５】
2019200808.tif 000007
【図６】
2019200808.tif 000008
【図７】
2019200808.tif 000009
【図８】
2019200808.tif 000010
【図９】
2019200808.tif 000011
【図１０】
2019200808.tif 000012
【図１１】
2019200808.tif 000013
【図１２】
2019200808.tif 000014
【図１３】
2019200808.tif 000015
【図１４】
2019200808.tif 000016
【図１５】
2019200808.tif 000017
【図１６】
2019200808.tif 000018
【図１７】
2019200808.tif 000019
【図１８】
2019200808.tif 000020
【図１９】
2019200808.tif 000021
【手続補正書】
【提出日】令和1年8月8日(2019.8.8)
【手続補正１】
【補正対象書類名】特許請求の範囲
【補正対象項目名】全文
【補正方法】変更
【補正の内容】
【特許請求の範囲】
【請求項１】
紙幣を１枚ずつ搬送する搬送部と、
前記搬送部により搬送される紙幣を積層状態で集積する紙幣集積部と、
を備え、
筐体に設けられ、前記紙幣集積部の側面に位置する扉を開けることにより前記紙幣集積部にアクセス可能となっており、
前記筐体に設けられた前記扉は多重の扉部分から構成されており、
前記紙幣集積部には、当該紙幣集積部の内部を複数の紙幣収納領域に区分けることができる区分け部材が設けられており、
前記扉部分の少なくとも一部を開放することにより、前記紙幣集積部における前記区分け部材により区分けされた複数の前記紙幣収納領域のうち一部の前記紙幣収納領域のみにアクセス可能となる、紙幣処理装置。
【請求項２】
前記区分け部材は、前記紙幣集積部の内部を複数の前記紙幣収納領域に区分ける区分け位置と、前記紙幣集積部の内部を１つの紙幣収納領域とする退避位置との間で移動自在となっている、請求項１記載の紙幣処理装置。
【請求項３】
前記扉における一の前記扉部分は他の前記扉部分にロック可能となっており、
一の前記扉部分が他の前記扉部分にロックされるとこれらの複数の前記扉部分は一体的に前記筐体から開閉されるようになっている、請求項２記載の紙幣処理装置。
【請求項４】
前記扉における一の前記扉部分は前記筐体にロック可能となっており、
一の前記扉部分が前記筐体にロックされると複数の前記紙幣収納領域のうち一部の前記紙幣収納領域のみにアクセス可能となる、請求項２または３記載の紙幣処理装置。
【請求項５】
紙幣を前記筐体の外部から内部に投入するための投入部と、
前記投入部により前記筐体の内部に投入された紙幣の識別を行う識別部と、
前記筐体の内部に設けられ、紙幣の収納を行う収納部と、
を更に備え、
前記投入部に投入され、前記識別部によって識別された紙幣の少なくとも一部が前記紙幣集積部に集積される、請求項１乃至４のいずれか一項に記載の紙幣処理装置。
【請求項６】
紙幣を金種別に収納する複数個の金種別紙幣収納庫を更に備え、
前記金種別紙幣収納庫から繰り出された紙幣が、前記紙幣集積部に集積される、請求項１乃至５のいずれか一項に記載の紙幣処理装置。
【手続補正２】
【補正対象書類名】明細書
【補正対象項目名】０００７
【補正方法】変更
【補正の内容】
【０００７】
本発明の紙幣処理装置は、紙幣を１枚ずつ搬送する搬送部と、前記搬送部により搬送される紙幣を積層状態で集積する紙幣集積部と、を備え、筐体に設けられ、前記紙幣集積部の側面に位置する扉を開けることにより前記紙幣集積部にアクセス可能となっており、前記筐体に設けられた前記扉は多重の扉部分から構成されており、前記紙幣集積部には、当該紙幣集積部の内部を複数の紙幣収納領域に区分けることができる区分け部材が設けられており、前記扉部分の少なくとも一部を開放することにより、前記紙幣集積部における前記区分け部材により区分けされた複数の前記紙幣収納領域のうち一部の前記紙幣収納領域のみにアクセス可能となることを特徴とする。
【手続補正３】
【補正対象書類名】明細書
【補正対象項目名】０００８
【補正方法】変更
【補正の内容】
【０００８】
このような紙幣処理装置によれば、紙幣集積部には、当該紙幣集積部の内部を複数の紙幣収納領域に区分けることができる区分け部材が設けられているとともに、筐体に設けられた扉を開けることにより紙幣集積部にアクセス可能となっているため、複数の紙幣収納領域に区分け可能な紙幣集積部に容易にアクセス可能となることにより当該紙幣集積部を様々な用途に使用することができるようになり、紙幣集積部を有効活用することができる。
【手続補正４】
【補正対象書類名】明細書
【補正対象項目名】０００９
【補正方法】変更
【補正の内容】
【０００９】
本発明の紙幣処理装置においては、前記区分け部材は、前記紙幣集積部の内部を複数の前記紙幣収納領域に区分ける区分け位置と、前記紙幣集積部の内部を１つの紙幣収納領域とする退避位置との間で移動自在となっていてもよい。
【手続補正５】
【補正対象書類名】明細書
【補正対象項目名】００１０
【補正方法】削除
【補正の内容】
【手続補正６】
【補正対象書類名】明細書
【補正対象項目名】００１３
【補正方法】変更
【補正の内容】
【００１３】
本発明の紙幣処理装置は、紙幣を前記筐体の外部から内部に投入するための投入部と、前記投入部により前記筐体の内部に投入された紙幣の識別を行う識別部と、前記筐体の内部に設けられ、紙幣の収納を行う収納部と、を更に備え、前記投入部に投入され、前記識別部によって識別された紙幣の少なくとも一部が前記紙幣集積部に集積されるようになっていてもよい。
【手続補正７】
【補正対象書類名】明細書
【補正対象項目名】００１４
【補正方法】変更
【補正の内容】
【００１４】
本発明の紙幣処理装置は、紙幣を金種別に収納する複数個の金種別紙幣収納庫を更に備え、前記金種別紙幣収納庫から繰り出された紙幣が、前記紙幣集積部に集積されるようになっていてもよい。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】